(57)【要約】      （修正有）【課題】眼電位を精度良く検出する、眼電位検出装置及び帽子及びヘッドウェアを提供する。【解決手段】眼電位検出装置は、頭部に接触可能な第１電極と第２電極と、第１電極と第２電極からの信号に基づいて眼電位を検出する検出回路と、を具備する。頭部の正面図、平面図、側面図の少なくとも１つにおいて第１電極と第２電極とを結ぶ線が眼球を通過する。【選択図】図１
2019025070.tif 000002
【特許請求の範囲】
【請求項１】
頭部に接触可能な第１電極と第２電極と、
前記第１電極と前記第２電極からの信号に基づいて眼電位を検出する検出回路と、を具備する眼電位検出装置において、
頭部の正面図、平面図、側面図の少なくとも１つにおいて前記第１電極と前記第２電極とを結ぶ線が眼球を通過する眼電位検出装置。
【請求項２】
前記第１電極は前記眼球より上に位置し、
前記第２電極は硬毛の生えていない領域に位置する請求項１記載の眼電位検出装置。
【請求項３】
前記第２電極は、耳朶と揉み上げの間の領域、耳介、耳朶、乳様突起、乳様突起と耳朶の間の領域、乳様突起直下の領域、外耳道のいずれかに位置する請求項２記載の眼電位検出装置。
【請求項４】
前記第２電極は接着性ジェルパッドを備える請求項２記載の眼電位検出装置。
【請求項５】
前記第２電極はイヤークリップ、イヤーフック、イヤーカフ、イヤリング、イヤホン、ヘッドセットまたはインカムに取り付けられる請求項２記載の眼電位検出装置。
【請求項６】
前記第１電極はメガネのノーズパッドに取り付けられ、前記第２電極は前記メガネのテンプルに取り付けられる請求項１記載の眼電位検出装置。
【請求項７】
左右の眼球を結ぶ線分の中点で該線分と直交する線に対して前記第１電極と左右対称な第３電極と、
前記左右の眼球を結ぶ線分の中点で該線分と直交する線に対して前記第２電極と左右対称な第４電極と、をさらに具備し、
前記検出回路は、前記第１電極と前記第２電極からの信号または前記第３電極と前記第４電極からの信号に基づいて眼球の上下方向の回転を検出し、前記第２電極と前記第４電極からの信号または前記第１電極と前記第３電極からの信号に基づいて眼球の左右方向の回転を検出する請求項１記載の眼電位検出装置。
【請求項８】
額に接触可能なすべりに設けられる第１電極と、
硬毛の生えていない領域に対応する顎紐の部分に設けられる第２電極と、
前記第１電極と前記第２電極からの信号に基づいて眼電位を検出する検出回路と、を具備し、
頭部の正面図、平面図、側面図の少なくとも１つにおいて前記第１電極と前記第２電極とを結ぶ線が眼球を通過する帽子。
【請求項９】
前記第２電極は、耳朶と揉み上げの間の領域に位置する請求項８記載の帽子。
【請求項１０】
左右の眼球を結ぶ線分の中点で該線分と直交する線に対して前記第１電極と左右対称な第３電極と、
前記左右の眼球を結ぶ線分の中点で該線分と直交する線に対して前記第２電極と左右対称な第４電極と、をさらに具備し、
前記検出回路は、前記第１電極と前記第２電極からの信号または前記第３電極と前記第４電極からの信号に基づいて眼球の上下方向の回転を検出し、前記第２電極と前記第４電極からの信号または前記第１電極と前記第３電極からの信号に基づいて眼球の左右方向の回転を検出する請求項８記載の帽子。
【請求項１１】
額に接触可能な第１電極と、
先端が耳周辺の硬毛の生えていない領域に接するようにヘッドウェア本体に取り付けられた電極取り付け部材の先端に設けられる第２電極と、
前記第１電極と前記第２電極からの信号に基づいて眼電位を検出する検出回路と、を具備し、
頭部の正面図、平面図、側面図の少なくとも１つにおいて前記第１電極と前記第２電極とを結ぶ線が眼球を通過するヘッドウェア。
【請求項１２】
前記電極取り付け部材の先端は、耳朶と揉み上げの間の領域、耳介、耳朶、乳様突起、乳様突起と耳朶の間の領域、乳様突起直下の領域のいずれかに位置する請求項１１記載のヘッドウェア。
【請求項１３】
左右の眼球を結ぶ線分の中点で該線分と直交する線に対して前記第１電極と左右対称な第３電極と、
前記左右の眼球を結ぶ線分の中点で該線分と直交する線に対して前記第２電極と左右対称な第４電極と、をさらに具備し、
前記検出回路は、前記第１電極と前記第２電極からの信号または前記第３電極と前記第４電極からの信号に基づいて眼球の上下方向の回転を検出し、前記第２電極と前記第４電極からの信号または前記第１電極と前記第３電極からの信号に基づいて眼球の左右方向の回転を検出する請求項１１記載のヘッドウェア。
【発明の詳細な説明】
【技術分野】
【０００１】
本発明の実施形態は眼電位検出装置、帽子及びヘッドウェアに関する。
【背景技術】
【０００２】
眼球の運動（回転）を検出するための一つの方法として、眼球電位（以下、眼電位と称する）法（Electro-Oculography：ＥＯＧ法とも称する）がある。眼球側は角膜側がプラス、網膜側がマイナスに帯電しており、数十ｍＶの電位差を持つ電流双極子と考えられている。眼球の近傍の皮膚に電極を取り付けると、この電位差である眼電位を検出でき、眼電位の計測結果に基づいて眼球回転を検出できる。電極は眼球の近傍に配置する必要があるので、メガネやゴーグル等のアイウェアに電極を設けることが考えられている。眼電位の検出精度は電極の配置場所に大きく依存するが、これまでに提案されたアイウェアの鼻パッドおよびその周辺に電極を設ける装置の場合、眼電位を効率良く検出することが困難である。
【先行技術文献】
【特許文献】
【０００３】
【特許文献１】米国特許出願公開第2011/0178784号明細書
【特許文献２】特開2011-125693号公報
【特許文献３】特開2013-244370号公報
【特許文献４】特開2013-215356号公報
【特許文献５】特開2006-340986号公報
【特許文献６】特開2014-215963号公報
【特許文献７】米国特許出願公開第2010/0228145号公報
【特許文献８】特開2009-288529号公報
【発明の概要】
【発明が解決しようとする課題】
【０００４】
従来の眼電位検出装置は精度良く眼電位を検出できないという課題があった。
【０００５】
本発明の目的は眼電位を精度良く検出する眼電位検出装置、帽子及びヘッドウェアを提供することである。
【課題を解決するための手段】
【０００６】
実施形態によれば、眼電位検出装置は、頭部の硬毛の生えていない皮膚に接触可能な第１電極と第２電極と、第１電極と第２電極からの信号に基づいて眼電位を検出する検出回路と、を具備する。頭部の正面図、平面図、側面図の少なくとも１つにおいて第１電極と第２電極とを結ぶ線が眼球を通過する。
【図面の簡単な説明】
【０００７】
【図１】図１は眼電位検出電極の配置の一例を示す図である。
【図２】図２は眼電位検出電極の配置の具体例を示す図である。
【図３】図３は眼球回転検出の原理を示すＥＯＧ波形を示す図である。
【図４】図４は眼球回転を検出する情報処理部の一例を示すブロック図である。
【図５】図５は第１実施形態の制帽をユーザが着用する様子の一例を示す正面図である。
【図６】図６は図５のＡ−Ａ＊線に沿った断面から制帽を見た図である。
【図７】図７は第１実施形態の制帽をユーザの左側から見た図である。
【図８】図８は第１実施形態の制帽をユーザの左前方から見た図である。
【図９】図９は第１実施形態の制帽の変形例をユーザが着用する様子の一例を示す正面図である。
【図１０】図１０は図９のＢ−Ｂ＊線に沿った断面から制帽を見た図である。
【図１１】図１１は無線給電により制帽の電池を充電する様子の一例を示す図である。
【図１２】図１２は“におい”カプセルの一例を示す図である。
【図１３】図１３は第１実施形態の制帽を利用する運行管理システムの一例を示す図である。
【図１４】図１４は第１実施形態の制帽を利用するバス運行管理システムの動作の一例を示すフローチャートである。
【図１５】図１５は第１実施形態の制帽を利用する電車運行管理システムの動作の一例を示すフローチャートである。
【図１６】図１６は第１実施形態の制帽の電極配置の変形例を示す図である。
【図１７】図１７は第２実施形態のサンバイザをユーザがインカムとともに着用する様子の一例を示す図である。
【図１８】図１８は第２実施形態のサンバイザの変形例である制帽の一例を示す図である。
【図１９】図１９は第３実施形態の眼電位検出装置の下側電極が装着される右耳用のイヤーセットの一例を示す図である。
【図２０】図２０は第３実施形態の眼電位検出装置の下側電極が装着される左耳用のイヤーセットの一例を示す図である。
【図２１】図２１は第４実施形態の眼電位検出装置の下側電極の装着例を示す図である。
【図２２】図２２は第５実施形態の眼電位検出装置の下側電極の装着位置の一例を示す図である。
【図２３】図２３は第５実施形態の眼電位検出装置の下側電極が装着されるイヤホンの一例を示す図である。
【図２４】図２４はアイウェアに関する第６実施形態の一例であるメガネを示す図である。
【図２５】図２５は図２４のメガネを下から見た図である。
【図２６】図２６はユーザが第６実施形態のメガネをかける様子の一例を示す図である。
【図２７】図２７は第６実施形態の電極配置の一例を示す図である。
【図２８】図２８は第６実施形態においてユーザの視線が左に移動した時の検出信号の波形変化の一例を示す図である。
【図２９】図２９は第６実施形態においてユーザの視線が右に移動した時の検出信号の波形変化の一例を示す図である。
【図３０】図３０は第６実施形態においてユーザの左右の視線が互いに近づく方向に移動した時の検出信号の波形変化の一例を示す図である。
【図３１】図３１は第６実施形態においてユーザの左右の視線が互いに離れる方向に移動した時の検出信号の波形変化の一例を示す図である。
【図３２】図３２は第６実施形態のＥＯＧ波形の一例を示す図である。
【発明を実施するための形態】
【０００８】
以下、実施の形態について図面を参照して説明する。なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。複数の図面において、対応する要素には同じ参照数字を付して、詳細な説明を省略する場合もある。
【０００９】
［眼球の基礎情報］  
成人の眼球の直径は約２５ｍｍである。生後は１７ｍｍ程度で、成長に伴い大きくなる。
【００１０】
成人男性の瞳孔間距離は約６５ｍｍである。一般市販のステレオカメラは６５ｍｍの間隔で作られている物が多い。
【００１１】
成人女性の瞳孔間距離は男性に比べて数ｍｍだけ短い。
【００１２】
眼電位は数十ｍＶである。
【００１３】
眼球は角膜側にプラス、網膜側にマイナスの電位を持つ。これを皮膚の表面で測定すると数百μＶの電位差（眼電位と称する）として現れる。
【００１４】
眼動検出に関係する眼球運動の種類および眼球の移動範囲としては、例えば以下のものがある：  
＜眼球運動（眼動）の種類＞  
（01）補償性眼球運動  
頭や身体の動きにかかわらず外界の像を網膜上で安定させるために発達した非随意的な眼球運動。
【００１５】
（02）随意性眼球運動  
視対像を網膜上の中心にくるようにするために発達した眼球運動であり、随意的なコントロールが可能な運動。
【００１６】
（03）衝撃性眼球運動（サッケード）  
物を見ようとして注視点を変えるときに発生する眼球運動であり、検出し易い。
【００１７】
（04）滑動性眼球運動  
ゆっくりと移動する物体を追尾するときに発生する滑らかな眼球運動であり、検出し難い。
【００１８】
＜眼球の移動範囲（一般的な成人の場合）＞  
（11）水平方向  
左方向: 50°以下
右方向: 50°以下
（12）垂直方向  
下方向: 50°以下
上方向: 30°以下
自分の意思で動かせる垂直方向の角度範囲は、上方向だけ狭い。閉眼すると眼球が上転する「ベル現象」があるため、閉眼すると垂直方向の眼球移動範囲は上方向にシフトするためである。
【００１９】
（13）その他  
輻輳角: 20°以下
＜瞬目から推定しようとする対象に＞ついて  
・集中度の推定では、単純な瞬目頻度の変化から、集中すべき対象に対する時間軸上での瞬目発生タイミングを調べる。
【００２０】
・緊張／ストレスの推定では、瞬目の発生頻度の変化を調べる。
【００２１】
・眠気の推定では、瞬目群発、瞬目時間／瞬目速度の変化を調べる。
【００２２】
［電極配置］  
図１は実施形態に係る眼電位検出装置のための電極の配置を説明するための図である。右眼球１５４Ｒの眼電位を測定する一対の電極（ＥＯＧ電極とも称する）１５１ａ、１５１ｂが眼球１５４Ｒを挟んで配置される。上側電極１５１ａは眼球１５４Ｒの上、例えば額に位置する。下側電極１５１ｂは眼球の下で頭髪または髭等の硬毛の生えていない領域に位置する。下側電極１５１ｂは、例えば耳あるいは耳周辺、具体的には、耳朶と揉み上げの間の領域、耳介、耳朶、乳様突起、乳様突起と耳朶の間の窪み、乳様突起直下の領域、外耳道等に位置する。一対の電極１５１ａ、１５１ｂは図示しないリード線に接続され、リード線を介して差動増幅器等を含む検出回路に接続される。一対の電極１５１ａ、１５１ｂの一方が＋電極となり、他方が−電極となり、一対の電極１５１ａ、１５１ｂ間の電位差である眼電位が検出され、眼球の上下回転が検出される。
【００２３】
左眼球１５４Ｌについても同様に一対の電極１５２ａ、１５２ｂが眼球１５４Ｌを挟んで配置される。一対の電極１５２ａ、１５２ｂ間の電位差である眼電位が検出され、眼球の上下回転が検出される。しかし、左右眼球についてそれぞれ電極対を設け、それぞれの眼球の眼電位を測定することは必須ではない。いずれか一方の眼球についてのみ電極対を設け、いずれか一方の眼球についてのみ眼電位を測定しても眼球の上下回転は検出できる。ただし、左右眼球についてそれぞれ電極対を設けると、左右の電極対１５１ｂ、１５２ｂ間の電位差または左右の電極対１５１ａ、１５２ａ間の電位差から左右回転も検出可能である。
【００２４】
図１（ａ）は頭部の正面図、図１（ｂ）は頭部の平面図、図１（ｃ）は頭部の側面図であり、電極の配置条件を説明する。側面図は右側面図でも左側面図でも構わないが、ここでは左側面図を示す。
【００２５】
図１（ａ）の正面図において、額に配置される上側電極１５１ａ（１５２ａ）と耳あるいは耳周辺に配置される下側電極１５１ｂ（１５２ｂ）を結ぶ線が眼球１５４Ｒ（１５４Ｌ）を通過するように上側電極１５１ａ（１５２ａ）と下側電極１５１ｂ（１５２ｂ）が配置される。すなわち、前方から見ると、上側電極１５１ａ（１５２ａ）は眼球１５４Ｒ（１５４Ｌ）より上に位置し、下側電極１５１ｂ（１５２ｂ）は眼球１５４Ｒ（１５４Ｌ）より下に位置する。また、前方から見ると、上側電極１５１ａ（１５２ａ）は眼球１５４Ｒ（１５４Ｌ）より右（左）に位置し、下側電極１５１ｂ（１５２ｂ）は眼球１５４Ｒ（１５４Ｌ）より左（右）に位置する。
【００２６】
図１（ｂ）の平面図において、上側電極１５１ａ（１５２ａ）と下側電極１５１ｂ（１５２ｂ）を結ぶ線が眼球１５４Ｒ（１５４Ｌ）を通過するように上側電極１５１ａ（１５２ａ）と下側電極１５１ｂ（１５２ｂ）が配置される。すなわち、上方から見ると、上側電極１５１ａ（１５２ａ）は眼球１５４Ｒ（１５４Ｌ）より前に位置し、下側電極１５１ｂ（１５２ｂ）は眼球１５４Ｒ（１５４Ｌ）より後に位置する。また、上方から見ると、上側電極１５１ａ（１５２ａ）は眼球１５４Ｒ（１５４Ｌ）より左（右）に位置し、下側電極１５１ｂ（１５２ｂ）は眼球１５４Ｒ（１５４Ｌ）より右（左）に位置する。
【００２７】
図１（ｃ）の側面図において、上側電極１５１ａ（１５２ａ）と下側電極１５１ｂ（１５２ｂ）を結ぶ線が眼球１５４Ｒ（１５４Ｌ）を通過するように上側電極１５１ａ（１５２ａ）と下側電極１５１ｂ（１５２ｂ）が配置される。すなわち、左側方から見ると、上側電極１５１ａ（１５２ａ）は眼球１５４Ｒ（１５４Ｌ）より上に位置し、下側電極１５１ｂ（１５２ｂ）は眼球１５４Ｒ（１５４Ｌ）より下に位置する。また、左側方から見ると、上側電極１５１ａ（１５２ａ）は眼球１５４Ｒ（１５４Ｌ）より前に位置し、下側電極１５１ｂ（１５２ｂ）は眼球１５４Ｒ（１５４Ｌ）より後に位置する。
【００２８】
なお、上側電極１５１ａ（１５２ａ）と下側電極１５１ｂ（１５２ｂ）の配置は、電極対を結ぶ線が眼球１５４Ｒ（１５４Ｌ）を通過するように決めればよく、電極対を結ぶ線が眼球１５４Ｒ（１５４Ｌ）の中心を通過する必要はない。電極対を結ぶ線が眼球１５４Ｒ（１５４Ｌ）のいずれの部位を通過すればよい。ただし、電極対を結ぶ線が眼球１５４Ｒ（１５４Ｌ）の中心を通過すると、眼電位の検出信号の振幅が最も高くなり、最も精度良く検出することができる。
【００２９】
上側電極１５１ａ（１５２ａ）と下側電極１５１ｂ（１５２ｂ）は、図１（ａ）、（ｂ）、（ｃ）の少なくとも１つの条件を満足するように配置されると、精度良く眼電位を検出することができる。例えば、正面図において上側電極１５１ａ（１５２ａ）と下側電極１５１ｂ（１５２ｂ）を結ぶ線が眼球１５４Ｒ（１５４Ｌ）を通過するが、平面図と側面図においては上側電極１５１ａ（１５２ａ）と下側電極１５１ｂ（１５２ｂ）を結ぶ線が眼球を通過しなくてもよい。平面図において上側電極１５１ａ（１５２ａ）と下側電極１５１ｂ（１５２ｂ）を結ぶ線が眼球１５４Ｒ（１５４Ｌ）を通過するが、正面図と側面図においては上側電極１５１ａ（１５２ａ）と下側電極１５１ｂ（１５２ｂ）を結ぶ線が眼球を通過しなくてもよい。さらに、側面図において上側電極１５１ａ（１５２ａ）と下側電極１５１ｂ（１５２ｂ）を結ぶ線が眼球１５４Ｒ（１５４Ｌ）を通過するが、正面図と平面図においては上側電極１５１ａ（１５２ａ）と下側電極１５１ｂ（１５２ｂ）を結ぶ線が眼球を通過しなくてもよい。ただし、図１（ａ）、（ｂ）、（ｃ）の全ての条件を満足するような位置に配置すると眼電位の検出信号の振幅が最も高くなり、最も精度良く検出することができる。
【００３０】
［眼電位・眼球回転検出原理］  
図２は、ヘッドウェア（帽子、サンバイザ、ヘルメット、ゴーグル、メガネなど）で用いられる眼電位検出用電極の配置例を説明する図である。ゴーグル、メガネ等の眼球に関係するヘッドウェアは他のヘッドウェアと区別してアイウェアと称することもある。この図は人の顔を正面から見ている図なので、右側に左眼が示され、左側に右眼が示されている。帽子の一例は、電車、バス、タクシー、大型船舶、飛行機等の運転手／操縦士や車掌や、駅員、警備員、ベルボーイ、整備士、工員、レストラン従事者等が勤務中に着用する制帽を含む。サンバイザは、クラウンが無い“ひさし”のみの帽子であるので、以下、帽子はサンバイザも含めた総称として使用することもある。ヘルメット、ゴーグル、メガネ等は整備士、工員等が作業中に着用するものを含む。ヘッドウェアにおいて眼電位を検出する目的の一つは、眼電位から眼球の回転を検出し、眼球の回転からユーザの眠気度、集中度、緊張度、ストレス等を推定し、推定結果をユーザ、あるいはユーザを監視する管理者にフィードバックし、事故の発生等を防止することである。
【００３１】
ここでは、大人の眼球の平均的なサイズを、左眼右眼とも、直径約２５ｍｍとしている。また、大人の左右両眼間の平均的な中心間隔を、約６５ｍｍとしている。人の眼球は、左右両眼とも、角膜側が「＋」に帯電し、網膜側が「−」に帯電している。これらの帯電により生じている眼球周りの電場（あるいは電気力線の状態）が、種々な眼動（上下左右方向の視線移動、左右両目の瞬目（瞬き）や目瞑り、左目または右目のウインクなど）に対応して変化する。この種々な眼動に対応した電場変化は、眼球周囲に配置した複数のＥＯＧ電極１５１ａ、１５１ｂ、１５２ａ、１５２ｂから取り出される１以上のチャネル信号から、区別して検出できる。
【００３２】
眼球の運動の種類は、垂直方向あるいは上下方向の眼球の回転である瞬目（瞬き）や目瞑り、ウインク等（以下、これらを瞬きと総称することもある）と、左右の眼球が左右の同じ方向に無意識に回転する緩徐運動（Slow Eye Movement）と、左右の眼球が左右の異なる方向に回転する輻輳角変動に大別される。眼球を上下方向で挟むように電極を配置することにより、瞬きが検出できる。眼球を上下方向及び左右方向で挟むように電極を配置することにより、瞬き及び緩徐運動が検出できる。眼球を前後方向及び左右方向で挟むように電極を配置することにより、緩徐運動及び輻輳角変動が検出できる。
【００３３】
図１に示すように配置される４つの電極の中で眼球を前後方向で挟む電極対の電極どうしの間隔は、眼球を他の方向で挟む電極対の電極どうしの間隔に比べて小さい。２つの電極が検出する電位差は２つの電極の位置ずれに応じている。そのため、図１の配置の４つの電極は瞬きと緩徐運動と輻輳角変動を全て検出可能ではあるが、輻輳角変動を示す検出信号のレベルは小さいので、検出信号のレベルが大きい瞬きと緩徐運動を検出対象とする。
【００３４】
具体的には、左右両眼の中心を結ぶ水平線よりも下側の左右電極対１５２ｂ、１５１ｂの電位差を第１チャネルＣｈ０の信号として検出し、鼻筋よりも右眼側（図示では左側）の上下電極対１５１ａ、１５１ｂの電位差を第２チャネルＣｈ１の信号として検出し、鼻筋よりも左眼側（図示では右側）の上下電極対１５２ａ、１５２ｂの電位差を第３チャネルＣｈ２の信号として検出する。第１〜第３チャネル信号はアナログ信号として検出されるが、これらのアナログ信号は３つのＡ／Ｄコンバータ（ＡＤＣ  Ｃｈ０〜Ｃｈ２）１５１２、１５１０、１５２０により個別にデジタルデータ化され、図４に示す情報処理部等へ情報入力Ａとして送出される。
【００３５】
図２に示す第１チャネルＣｈ０の検出信号は眼球を左右方向に挟む電極対の検出信号に対応し、これにより視線の左右移動（緩徐運動）が検出される。また、第２、第３チャネルＣｈ１、Ｃｈ２の検出信号は眼球を上下方向に挟む電極対の検出信号に対応し、これにより視線の上下移動（極短時間の移動である瞬目と目瞑りを含む）が検出される。
【００３６】
図２に示すＥＯＧ電極１５１ａ、１５１ｂ、１５２ａ、１５２ｂの配置方法は、種々な形態のヘッドウェア（制帽、サンバイザ、ヘルメット、ゴーグル、メガネなど）に応用できる。ヘッドウェアが顎紐付きのヘッドウェア、例えば制帽（例えば図５の運転手帽２００）であれば、上側電極１５１ａ、１５２ａは制帽のクラウン台座（あるいはサイドクラウン、腰）２０２の内側の額に接する“すべり”の一部に設けることができ、下側電極１５１ｂ、１５２ｂは顎紐２１０Ｒ、２１０Ｌの一部に設けることができる。ヘッドウェアがユーザの顔面上の両眼周囲に当接するフレームを持つゴーグルであれば、上側電極１５１ａ、１５２ａはゴーグルフレームの上側の一部（ユーザの両眼より内側）に設けることができ、下側電極１５１ｂ、１５２ｂはゴーグルフレームの下側の一部（ユーザの両眼より外側）に設けることができる。
【００３７】
図１で説明したように、種々な形態のヘッドウエア（制帽、ヘルメット、ゴーグルなど）において、左眼側の上下電極対１５２ａ、１５２ｂを結ぶ線上にユーザの左眼１５４Ｌが位置する（中心に限らず、眼球のいずれかの点が位置すればよい）ように電極配置を行い、右眼側の上下電極対１５１ａ、１５１ｂを結ぶ線上にユーザの右眼１５４Ｒが位置する（中心に限らず、眼球のいずれかの点が位置すればよい）ように電極配置を行う。このようにすると、ユーザの左右両眼の動きに対応した眼電位変化を、より良いＳ／Ｎ比で検出できる。
【００３８】
図３は、ユーザの種々な眼動（瞬目、目瞑り、視線移動）と、図２に示す３つのアナログ／デジタルコンバータ（ＡＤＣ）１５１２、１５１０、１５２０から得られる検出信号Ｃｈ０、Ｃｈ１、Ｃｈ２のＥＯＧ波形との関係の一例を説明する眼電図（ＥＯＧ）である。縦軸はＣｈ０、Ｃｈ１、Ｃｈ２の各チャネルのＡＤＣのサンプル値（ＥＯＧ信号レベルに相当）の参考例を示し、横軸は時間を示す。縦軸は、例えば３．３Ｖ，２４ビットのＡＤＣのサンプル値を示し、196.695×10-9を乗算するとボルトとなる。縦軸の１目盛である10000は約２ｍＶ（＝10000ｘ196.695×10-9＝1.96695×10-3）である。横軸は、例えば２５０ｆｓのサンプル数を示し、２５０で割ると秒となる。
【００３９】
図３の上段に示すＣｈ０のＥＯＧ波形のＡＤＣサンプル値において、視線が左に移動したときの凸波形（上に凸な波形）と視線が右に移動したときの凹波形（下に凸な波形）かつＣｈ１およびＣｈ２に現れる逆相波形の組合せ波形Ｐｒにより、眠気が増した時に発生する左右方向の眼球回転（眼球振盪）が検出される。右／左はユーザから見た右／左を意味する。
【００４０】
図３の中段に示すＣｈ１のＥＯＧ波形のＡＤＣサンプル値および、同図下段に示すＣｈ２の同相ＥＯＧ波形のＡＤＣサンプル値（瞬目とは形状が異なり、目瞑りとは振幅が異なる）において、視線が上を向いたときの凸波形（上に凸な波形）と視線が下を向いたときの凹波形（下に凸な波形）の組合せ波形Ｐｔにより、上下方向の眼球回転が検出される。すなわち、上下方向の瞬目および目瞑りによって発生する眼球の回転はＣｈ１のＥＯＧ波形のＡＤＣサンプル値またはＣｈ２のＥＯＧ波形のＡＤＣサンプル値のいずれか１つに基づいて検出可能であり、瞬目および目瞑りのみを検出する用途においては左右眼球についてそれぞれ電極対を設ける必要はなく、いずれか一方の眼球についてのみ電極対を設けてもよい。
【００４１】
図３の中段に示すＣｈ１のＥＯＧ波形のＡＤＣサンプル値または、同図下段に示すＣｈ２のＥＯＧ波形のＡＤＣサンプル値において、１〜２回の瞬目は、瞬間的にレベル上昇して元に戻る１〜２波の凸パルス波形ＰｃまたはＰｃ＊により検出される。図３の中段に示すＣｈ１のＥＯＧ波形のＡＤＣサンプル値または、同図下段に示すＣｈ２のＥＯＧ波形のＡＤＣサンプル値において、３回の瞬目は、瞬間的にレベル上昇して元に戻る３波の凸パルス波形ＰｓまたはＰｓ＊により検出される。図示しないが、４回以上の瞬目も３回の場合と同様に検出できる。
【００４２】
図３の中段に示すＣｈ１のＥＯＧ波形のＡＤＣサンプル値または、同図下段に示すＣｈ２のＥＯＧ波形のＡＤＣサンプル値において、瞬目より長い期間生じる目瞑りは、幅広でかつ視線が上を向いた際よりも大きな凸パルス波形ＰｆまたはＰｆ＊により検出される。図示しないが、より長い目瞑りはより広いパルス幅の波形で検出される。
【００４３】
ＥＯＧ波形の形状および振幅から、瞬目（瞬き）や目瞑りといった眼動は、第２チャネルＣｈ１および／または第３チャネルＣｈ２の信号波形から区別して検出できる。上下の眼動（上方または下方への視線移動）は、第２チャネルＣｈ１および／または第３チャネルＣｈ２の信号波形から区別して検出できる。左右の眼動（左方または右方への視線移動）は、第１チャネルＣｈ０の信号波形、または第２チャネルＣｈ１もしくは第３チャネルＣｈ２の信号波形から区別して検出できる。
【００４４】
なお、眼球の左右回転を検出するための第１チャネルの信号波形を出力する電極１５２ｂ、１５１ｂの位置が眼球の中心を結ぶ線に近い程、第１チャネルの信号波形は大きくなる。
【００４５】
＜ＥＯＧ波形と眼動との関係＞
（０１）視線が左右にきょろきょろと動いているときは、波形Ｐｒが現れる。視線が上下にきょろきょろと動いているときは、波形Ｐｔが現れる。視線が左右上下にきょろきょろと動いているときは、波形Ｐｒと波形Ｐｔが連続して現れる。つまり、ＥＯＧ波形（Ｐｒおよび／またはＰｔから、「きょろつき」型眼動を検出できる。
【００４６】
（０２）瞬目がなされると、瞬目の回数に応じたパルス波形（Ｐｃ、Ｐｓ）または（Ｐｃ＊，Ｐｓ＊）が現れる。つまり、ＥＯＧ波形（Ｐｃ、Ｐｓ）または（Ｐｃ＊，Ｐｓ＊）から、種々な回数の「瞬目」型眼動を検出できる。なお、「瞬目」型眼動の検出さえできればよいのであれば、Ｃｈ０のＡＤＣは不要となる。「瞬目」型眼動の検出目的では、最低限、Ｃｈ１またはＣｈ２のＡＤＣが１つあればよい。しかしＣｈ１およびＣｈ２の２つのＡＤＣを用い、両者の出力を合成すれば、信号対雑音比（Ｓ／Ｎ）を改善できる。その理由は、Ｃｈ１とＣｈ２の間で相関性がある信号成分Ｐｃ、Ｐｓ、Ｐｆ、Ｐｔなどは２つのＡＤＣ出力の合成により＋６ｄＢ増えるが、相関性がないランダムなノイズ成分は＋３ｄＢしか増えないからである。
【００４７】
（０３）目瞑りがなされると、目瞑りの長さに応じたパルス波形Ｐｆが現れる。つまり、ＥＯＧ波形Ｐｆから、種々な長さの「目瞑り」型眼動を検出できる。「目瞑り」型眼動はＣｈ０のＥＯＧ波形にも少し表れるが、「目瞑り」型眼動の検出目的では、Ｃｈ０のＡＤＣはなくてもよい。
【００４８】
＜眼動と心身状態の関係＞
（１１）ＥＯＧの波形観測中に、「きょろつき」型眼動に対応したＥＯＧ波形パターンが認められたときは、ＥＯＧ電極付きヘッドウェアのユーザの集中力が欠け落ち着きがない状態にあると推定することが考えられる。
【００４９】
（１２）ＥＯＧの波形観測中に、要所で少数回（例えば１〜２回）の「瞬目」型眼動に対応したＥＯＧ波形パターンが認められたときは、ユーザは集中している状態にあると推定することが考えられる。ここでの要所としては、例えばビデオ等を用いてある作業手順を学習している際の、作業内容上の意味の区切り箇所を想定できる。
【００５０】
（１３）ＥＯＧの波形観測中に、要所で数回以上（例えば３回以上）の「瞬目」型眼動に対応したＥＯＧ波形パターンが認められたときは、ユーザは緊張し精神的にストレスを受けた状態にあると推定することが考えられる。ここでの要所としては、例えばユーザであるバスドライバが路上で後続車に急な追い越しを仕掛けられた場合、あるいは先行車が急ブレーキをかけたことで追突しそうになった場合などを想定できる。
【００５１】
（１４）ＥＯＧの波形観測中に所定時間以上（例えば数秒〜数十秒以上）続く「目瞑り」型眼動に対応したＥＯＧ波形パターンが認められたときは、ユーザは疲労しており業務や作業に集中し難い状態にあると推定することが考えられる。
【００５２】
（１５）特定状況下（例えば長距離バスの運行において、単調な路面走行中）のＥＯＧの波形観測中に、短め（例えば数秒以下）の「目瞑り」型眼動に対応したＥＯＧ波形パターンが認められたときは、ユーザは瞬間的な居眠りしており交通事故が起きやすい状態にあると推定することが考えられる。
【００５３】
すなわち、ユーザの種々な眼動に対応したＥＯＧの波形パターンから、ユーザの心身状態（集中度、ストレス、疲労、居眠りなど）を推定あるいは察知することができ、その推定（察知）内容に応じて、事故や作業ミス等が起きにくくなるような対策を講じることが可能となる。
【００５４】
図１、図２で説明したように、上下電極対１５１ａ、１５１ｂの電極どうしを結ぶ線または上下電極対１５２ａ、１５２ｂの電極どうしを結ぶ線は、頭部の正面図、平面図、側面図の少なくとも１つにおいて眼球の中心に限らず眼球のいずれかの部分を通過すればよい。ただし、この線が眼球の中心から離れるにつれてＥＯＧ検出波形の信号レベルが小さくなり、眼動（瞬目、眼瞑りなど）を高Ｓ／Ｎで検出し難くなる。その対策としては、高性能なフィルタの採用が考えられる。例えば、検出したい眼動（瞬目、眼瞑りなど）の信号周波数成分（例えば図３のＰｃ、Ｐｓ、Ｐｆの周波数スペクトル）を事前調査しておく。この事前調査の結果に基づき、所望信号成分だけを抽出するために必要最小限の通過帯域幅を持ち肩特性が非常にシャープな（例えば120dB/oct〜300dB/oct）デジタルバンドパスフィルタを、図４の眼動検出部１５または情報処理部１１に設ける。プロセッサ１１ａが高速で処理能力に余力があるなら、ソフトウエアにより、急峻な肩特性を持つＦＩＲ型またはＩＩＲ型のデジタルバンドパスフィルタをプロセッサ１１ａで構成してもよい。ノイズまみれで僅かな信号痕跡しか検出されない場合でも、シャープなバンドパスフィルタを通すことによりノイズの大部分を削り落とすことができる。そうすれば、少なくともバイナリレベルで（例えば、瞬目あるいは眼瞑りに対応した特定のＥＯＧ信号成分が存在するか否かといったレベルで）眼動を検出し得る。
【００５５】
図４は、ヘッドウェア（制帽、サンバイザ、ヘルメット、ゴーグル、メガネなど）２００に含まれる情報処理部１１と、その周辺デバイスとの関係を説明する図である。図４の例では、情報処理部１１は、プロセッサ１１ａ、不揮発性メモリ（フラッシュメモリ／ＥＥＰＲＯＭ）１１ｂ、メインメモリ１１ｃ、通信処理部１１ｄ、センサ部１１ｅ、タイマ(フレームカウンタ)１１ｆ、デバイスＩＤ１１ｇなどで構成されている。図２の各ＡＤＣを処理部１１内に設ける実施形態も可能である。プロセッサ１１ａは製品仕様に応じた処理能力を持つマイクロコンピュータで構成できる。このプロセッサの処理速度を必要十分な最小限の速度に抑えることで、低消費電力化を図ることができる。このマイクロコンピュータが実行する種々なプログラムおよびプログラム実行時に使用する種々なパラメータは、不揮発性メモリ１１ｂに格納しておくことができる。不揮発性メモリ１１ｂには、タイマ１１ｆを用いたタイムスタンプ（および／または録画ビデオのフレームをカウントしたフレーム番号）とともに、種々な検出データを記憶しておくことができる。プログラムを実行する際のワークエリアはメインメモリ１１ｃが提供する。
【００５６】
センサ部１１ｅは、ヘッドウェア（制帽、ヘルメット、ゴーグルなど）２００の位置および／またはその向きを検出するセンサ群を含んでいる。これらのセンサ群の具体例としては、３軸方向（ｘ−ｙ−ｚ方向）の移動を検出する加速度センサ、３軸方向の回転を検出するジャイロ、絶対方位を検出する地磁気センサ（羅針盤機能）、電波や赤外線などを受信して位置情報その他を得るビーコンセンサがある。これらの情報の獲得において、iBeacon（登録商標）あるいはBluetooth（登録商標）4.0（Bluetooth Low Energy（登録商標））が利用されてもよい。センサ部１１ｅを用いた検出情報は、情報処理部等へ情報入力Ｂとして送出される。
【００５７】
情報処理部１１に利用可能なＬＳＩは、製品化されている。その一例として、東芝セミコンダクター＆ストレージ社の「ウエアラブル端末向けＴＺ１０００シリーズ」がある。このシリーズのうち、製品名「ＴＺ１０１１ＭＢＧ」は、ＣＰＵ（１１ａ、１１ｃ）、フラッシュメモリ（１１ｂ）、Bluetooth Low Energy（１１ｄ）、センサ群（加速度センサ、ジャイロ、地磁気センサ）（１１ｅ）、２４ビットデルタシグマＡＤＣ、Ｉ／Ｏ（ＵＳＢ他）を持つ。
【００５８】
プロセッサ１１ａで何をするかは、通信処理部１１ｄを介して、通信機能を持つローカルプロセッサ（スマホ、タブレット、パーソナルコンピュータＰＣなど）１０００から、指令することができる。あるいは、プロセッサ１１ａで何をするかは、メモリ１１ｂに格納されたコンピュータプログラムにより予め決めておくことができる。
【００５９】
通信処理部１１ｄでは、ZigBee（登録商標）、Bluetooth Low Energy（登録商標）、Wi-Fi（登録商標）などの既存通信方式を利用できる。プロセッサ１１ａでの処理結果は、通信処理部１１ｄを介して、ローカルプロセッサ１０００にリアルタイムで送ることができる。また、メモリ１１ｂに記憶された情報も、通信処理部１１ｄを介して、ローカルプロセッサ１０００に提供できる。ローカルプロセッサ１０００は、１以上のヘッドウェア２００の情報処理部１１から送られてきた情報を、レコーダ／ローカルデータベース１００２で記録し蓄積できる。レコーダ／ローカルデータベース１００２に記録／蓄積された情報は、４Ｇ  ＬＴＥ（第４世代の携帯高速通信技術）などの高速通信回線を介して、管理センター１００００のサーバコンピュータに送ることができる。管理センター１００００には１以上のローカルプロセッサ１０００から種々な情報が送られてきており、それらの情報を統合してビッグデータのデータベース（ビッグデータＢＤ）を構築できるようになっている。
【００６０】
ビッグデータＢＤを構築できる管理センター１００００には、音声認識、音声合成、翻訳、対話、意図理解、画像認識（顔・人物画像認識）などのメディア知識処理技術を統合したシステムを導入することができる。そのようなメディア知識処理技術の具体例として（株）東芝が開発したＲＥＣＡＩＵＳ（リカイアス）（登録商標）がある。リカイアスに関する具体的な情報はインターネット等から入手可能なため詳細は述べないが、リカイアスのような高度なメディア知識処理技術が利用可能になっていることをここで紹介しておく。
【００６１】
なお、管理センター１００００は、インターネットなどを介して、図示しないＶＩＣＳ（登録商標）センターや図示しないＷＩＣＳ（登録商標）センターに接続することができる。ＶＩＣＳは”Vehicle Information and Communication System”の略で、財団法人  道路交通情報通信システムセンターが運営している。また、ＷＩＣＳは”Weather Information and Communication Service”の略で、（株）気象情報通信サービス会社が運営している。ＶＩＣＳからは、リアルタイムで（または所定時間毎にもしくは任意のタイミングで）種々な交通情報（渋滞情報、交通規制情報、駐車場情報、交通障害情報、現在位置から目的地までの所要時間情報など）を得ることができる。また、ＷＩＣＳからは、リアルタイムで（または所定時間毎にもしくは任意のタイミングで）種々な気象情報（日時および場所毎の、天気、気温、降水量、風速、日射量など）を得ることができる。
【００６２】
例えばある長距離バスの走行ルートがバス運行開始前に予め決まっていても、ＶＩＣＳからの交通情報（運行計画に影響する、渋滞情報、渋滞ルートを通る場合の所要時間情報など）やＷＩＣＳからの気象情報（事故の起きやすさに関係し得る、積雪、豪雨、強風、濃霧などの情報）に応じて、適切な運行ルートの変更候補を管理センター１００００から個々のバスドライバに連絡することができる。過去において交通情報や気象情報の内容に応じて選択されたことのある安全・適切な走行ルートの候補が管理センター１００００のビッグデータＤＢに貯まっているときは、それらの候補のうち採用事例が多い上位の数候補を、自動的にバスドライバに提案することも可能である。
【００６３】
なお、プロセッサ１０００では種々なアプリ（アプリケーションプログラム）を実行できる。例えばＶＩＣＳやＷＩＣＳの情報を適宜利用するカーナビゲーションアプリを用意し、そのアプリを用いてプロセッサ１０００をカーナビとして利用することができる。
【００６４】
情報処理部１１のシステムバスには、アクチエータ１２、カメラ１３、感圧センサ１４眼動検出部１５、マイク（または振動ピックアップ）１６等が接続されている。
【００６５】
アクチエータ１２は、ユーザの左右の耳付近に２つ（例えば図５の１２Ｌ、１２Ｒ）設けることができる。アクチエータ１２（１２Ｌおよび／または１２Ｒ）は、ユーザの耳元で「ピピピ…」といったアラート音を出す、あるいは携帯電話のマナーモードのようなブザー振動を出すことができる。アラート音に関するアクチュエータはイヤホンとして実現することもできる。イヤホンは単独で設けてもよいが、後述するマイク１６とともにインカムとして設けてもよい。運転手等は制帽２００とともにインカムも着用することがあり、インカムの上から制帽２００をかぶる、あるいは制帽２００の上からインカムをかぶることもある。あるいは、アクチエータ１２（１２Ｌおよび／または１２Ｒ）に電気パルス発生回路（図示せず）を設け、ユーザの左右のこめかみ付近にパルス状の軽い電気ショックを与えることができる。アクチエータ１２がユーザの鼻先に配置される“におい”カプセル（例えば図９の１２０）の開閉シャッタを駆動するものであるときは、適宜シャッタを開けることで、カプセル内の気付け薬（例えばアンモニア）をユーザに嗅がせることができる。あるいは、カプセル内に香水を入れておき、ストレスを受けて緊張状態にあるユーザを爽やかな香りでリラックスさせることも考えられる。
【００６６】
カメラ１３はオプション扱いでよいが、ユーザの額中央付近に中央カメラ（例えば図５の１３）を設けてもよいし、ユーザの左右両眼の上側付近にステレオカメラ（例えば図９の１３Ｌ、１３Ｒ）を設けてもよい。
【００６７】
例えば図５（または図９）のように制帽２００をかぶったユーザが図示しない鏡の前に立つと、鏡に映ったユーザの顔と制帽の外観をカメラ１３または１３Ｌ、１３Ｒで撮影できる。この撮影画像を画像解析することにより、ユーザの鼻筋を通る垂線を基準として、ユーザの左右両眼の中心位置Ｐ１、Ｐ２と、下側電極１５１ｂの位置および下側電極１５２ｂの位置の、相対位置関係が分かる。また、制帽２００の“すべり”の所定位置に固定された上側電極１５１ａおよび上側電極１５２ａ（これらの電極はカメラに写っていない）の鼻筋垂線に対する相対位置も、制帽２００を正面からみた外観画像から推定できる。
【００６８】
このことから、ユーザのカメラ撮影画像を画像解析することにより、下側電極１５２ｂが顎紐２１０Ｌ上の適切な位置に留められているか、すなわち左側の眼球が電極１５２ａと電極１５２ｂを結ぶ線上にあるか否か、あるいは下側電極１５１ｂが顎紐２１０Ｒ上の適切な位置に留められているか、すなわち右側の眼球が電極１５１ａと電極１５１ｂを結ぶ線上にあるか否かを、コンピュータ判定できる。この画像解析には、例えば前述したＲＥＣＡＩＵＳ（リカイアス）の画像認識（顔・人物画像認識）技術を利用できる。
【００６９】
感圧センサ１４は、ユーザの手が触れる部分に設けることができる。例えば、制帽２００をかぶるユーザがバスのドライバだとすると、バスのハンドル（図示せず）のうち左手で握る部分と右手で握る部分の両方に感圧センサ１４が取り付けられる。ドライバが正常にバスを運転しているときは、左右の手の少なくとも一方でハンドルを握って（あるいは掴んで）いる。このハンドル握り（掴み）状態を、ハンドルに取り付けた感圧センサ１４で検知することができる。例えばバスの運転中にドライバが居眠りすると、ハンドルを握る手の握力が落ち、場合によってはハンドルから手が離れることが想定される。バスの走行中にドライバの両手でこのような状態が（極短時間であっても）感圧センサ１４により検知されたならば、交通事故発生の恐れがあると判定する材料の１つになる。
【００７０】
あるいは、制帽２００をかぶるユーザが電車の運転士だとする。すると、電車の運転操作室（先頭車両の最前部にある小部屋）に設けられた運転操作レバー（図示せず）のうち運転士の利き手（通常は右手）で握る部分に感圧センサ１４が取り付けられる。運転士が正常に運転しているときは、操作レバーを握って（あるいは押して）いる。この操作レバーの握り状態（あるいは押圧状態）を、操作レバーに取り付けた感圧センサ１４で検知することができる。例えば電車運転中に運転士が居眠りすると、操作レバーを握る（あるいは押す）力が落ち、場合によっては操作レバーから手が離れる。電車の走行中にこのような状態が感圧センサ１４により所定時間以上続いて検知されたならば、事故（例えば停車駅のホームの所定位置で止まれないなど）が発生する恐れがあると判定する材料の１つになる。感圧センサ１４による検知情報は、情報処理部等へ情報入力Ｃとして送出される。
【００７１】
マイク１６は、ユーザ（バスドライバや電車運転士など）自身の声を捕らえ、あるいは周辺の人々（バスの乗客など）の声を捕らえることに使用できる。マイク１６で捕らえた声は、音声認識してプロセッサ１１ａに対する処理命令に利用できる。あるいは、例えば交通事故によりバスドライバが怪我をして声が出なくなってしまった場合に、そのバスに乗り合わせた乗客が現状を音により管理センター１００００へ伝える際にも、マイク１６を利用することができる。マイクは単独で設けても良いが、音を発生するアクチュエータ１２としてのイヤホンとともにインカムとして設けてもよい。
【００７２】
振動ピックアップ１６は、オプション扱いでもよいが、音声以外の機械振動を検出したいときに用いることができる。例えば、ユーザの音声入力用には一般的なエレクトレットコンデンサマイク１６を用い、それ以外に、音声に対する感度は低いがエンジンの異常振動音やブレーキの異常作動音などには敏感な特性を持たせた振動ピックアップ１６を、用いることができる。
【００７３】
図４の各デバイス１１〜１６は、充電可能な電池１７を用いた電源により給電される。電池１７は、無線受電装置１８により適宜充電される。無線受電装置１８にはアンテナ１９が繋がっており、このアンテナ１９で外部の無線給電装置２０から電磁エネルギの供給を受けることで、無線受電装置１８は電池１７を充電できる。
【００７４】
無線給電（ワイヤレス給電）には、ワイヤレスパワーコンソーシアム（Wireless Power Consortium：略してＷＰＣ）が策定した国際標準規格が存在する。この規格はＱｉ（「ちー」と読む）と略称されている。現在、携帯電話やスマホを対象とした１５Ｗ以下の低電力向け規格がＱｉで規格化されている。このＱｉ規格に準拠したワイヤレス充電機能は、電源電池１７において使用することができる。
【００７５】
図４の眼動検出部１５は、視線検出センサを構成する４つの眼動検出電極１５１ａ，１５１ｂ，１５２ａ，１５２ｂと、これらの電極から眼動に対応したデジタル信号を取り出す３つのＡＤＣ１５１０、１５２０、１５１２と、これらＡＤＣからの出力データ（情報入力Ａ）をプロセッサ１１ａ側に出力する回路を含んでいる。ＡＤＣは情報処理部１１の一部として構成されてもよい。プロセッサ１１ａは、ユーザの種々な眼動（上下動、左右動、瞬目、眼瞑りなど）から、その眼動の種類に対応する指令または状態を解釈し、その指令または状態に対応する処理を実行することができる。なお、図１６を用いて後述するが、上側電極１５１ａと１５２ａの中間に、ユーザの皮膚電位とＡＤＣの回路電位を合わせるための電極１５３を設けてもよい。
【００７６】
眼動の種類に対応する指令の具体例としては、眼動が例えば眼瞑りなら視線の先にある情報項目を選択し（コンピュータマウスのワンクリックに類似）、連続した所定回数の両目の瞬目あるいは片目の瞬目／ウインクなら選択された情報項目に対する処理の実行を開始させる（コンピュータマウスのダブルクリックに類似）指令が考えられる。
【００７７】
眼動の種類に対応する状態の具体例としては、所定数の瞬目、所定時間の目瞑り、視線の上下左右動がある、例えば、眼動がある講習の節目における１〜２回の瞬目ならユーザが講習内容に集中し理解したことを推定できる。眼動が突発的な３回以上の瞬目ならユーザが何らかの出来事でストレスを受けた可能性がある。眼動が数秒以上の目瞑りならユーザが居眠りしたことを推定できる。眼動が長時間（数十分以上）に渡る眼瞑り中における上下左右動なら、ユーザがレム睡眠中であったことを推定できる。長時間（数十分以上）に渡る眼瞑り中に眼動が認められないときは、ユーザはノンレム睡眠中であったと推定できる。
【００７８】
上記眼動の種類に対応する指令または状態は、眼動検出部１５を用いた情報入力Ａの一例である。
【００７９】
＜図４に示される構成要素についての補足説明＞
＊プロセッサ１１ａを構成するマイクロコンピュータユニットの動作について
マイクロコンピュータユニットのプログラミングにより瞬目などの検出エンジンを構成し、この検出エンジンを動作させることで、リアルタイムのＡＤＣ生データではなくて、タイムスタンプ付の瞬目イベントを記録することができる。例えば、タイマをスタートしてから５分１０秒後に１〜２回連続する瞬目の発生イベントがあったなら、その瞬目のＥＯＧ波形をＡＤ変換した生データを記録するのではなくて、代わりにそのような瞬目が発生したことを５分１０秒のタイムスタンプとともに不揮発性メモリ１１ｂなどで記録する。このようにすれば、生データをそのまま記録するよりも記録に必要なメモリ容量を大幅に節約できる。なお、メモリ容量に十分な余裕があるときは、ＡＤＣ生データを記録するようにしてもよい。
【００８０】
＊不揮発性メモリ１１ｂを構成するフラッシュメモリ／ＥＥＰＲＯＭについて
例えば長距離バスを運転しているドライバの瞬目情報を収集する場合を考えてみる。その場合、長時間に渡りリアルタイムで瞬目情報を集め続ける代わりに、個々のドライバの瞬目情報を個々のメモリ１１ｂに一時記憶しておき、長距離バスのパーキング停車時あるいは運行終了後にメモリ１１ｂから記憶した瞬目情報をローカルプロセッサ１０００で回収することが考えられる。この回収は、BlueTooth（無線）またはＵＳＢ（有線）を介して行うことができる。このようにすれば、情報回収時以外ではローカルプロセッサ１０００を別の使途で、例えばカーナビとして、利用できる。
【００８１】
＊電源（充電可能電池１７）について
図４のデバイス１１〜１６に対する電源供給維持のために、小型電池１７が用いられる。しかし、図４のデバイス１１〜１６が組み込まれたヘッドウエア（制帽、ヘルメット、ゴーグルなど）が、必要十分な大きさの電磁エネルギ供給を常時受けられる環境で使用されるならば、電池１７がなくても、無線受電装置１８とアンテナ１９だけで、電源供給を維持可能となる。例えば、座席の背後や天井に外部無線給電装置２０が配備されたバス内では、運転席に座ったバスドライバが着用している制帽２００内のデバイス１１〜１６は、アンテナ１９と無線受電装置１８を介して、外部無線給電装置２０から直接給電できる。この場合、電池１７がなくても（あるいは充電電池１７が使用不能状態に劣化していても）制帽２００内のデバイス１１〜１６は正常動作できる。換言すると、必要十分な大きさの電磁エネルギ供給を受けられる場所にいるユーザがかぶるヘッドウェアのデバイスは、そのような場所にいる限り、電池なしでも動作できる。
【００８２】
図１〜図４の説明は、眼電位検出及び眼球回転検出の原理に関するものである。この原理を用いて電極や検出回路の構成要素を実際にどのように配置するかの実装に関する実施形態を以下に説明する。図１〜図４の説明は全部の実施形態に対して共通に適用される。
【００８３】
［第１実施形態］  
第１実施形態として、勤務中に着用されるヘッドウェアを説明する。図５はヘッドウェアの一例である制帽２００と、この制帽２００をユーザ（例えば、電車、バスのドライバ、車掌など）がどのように着用するかの一例を説明する図である。また、図６は、図５のＡ−Ａ＊線に沿った断面の左側から制帽２００を見た図である。
【００８４】
この制帽２００は、クラウン台座（あるいは腰）２０２と、クラウン台座２０２の上側に取り付けられる天井（クラウン）２０４と、クラウン台座２０２の前方下側に張り出すように取り付けられた“ひさし”２０６を持っている。クラウン台座２０２の内側にはユーザの額に接する“すべり”が設けられる。
【００８５】
ひさし２０６の中央真上にくる天井２０４の前方部分には、記章２０８が取り付けられる。記章２０８は、天井２０４から外せないように縫い付けられるか、マジックテープ（登録商標）などで着脱自在に天井２０４に取り付けられる。この記章２０８の外観は、その制帽２００をかぶるユーザの職種（例えばバスドライバ）や所属会社または組織を示唆するように、デザインできる。
【００８６】
図６に示すように、天井２０４の内側のうち、ユーザの頭頂部に面する大面積部分には、図４のアンテナ１９が取り付けられる。天井２０４の内側のうち、記章２０８の裏側に面する部分には、図４の無線受電装置１８および充電可能な小型電池（例えばコイン状のリチウムイオン電池）１７が取り付けられる。無線受電装置１８は、アンテナ１９で受けた電磁エネルギを用いて、例えばＱｉ規格に準拠したワイヤレス充電機能により電池１７を充電できる。
【００８７】
クラウン台座２０２の右側側面のうち右耳付近にアクチエータ１２Ｒが取り付けられ、および／または、クラウン台座２０２の左側側面のうち左耳付近にアクチエータ１２Ｌが取り付けられる。アクチエータ１２（１２Ｒおよび／または１２Ｌ）には、小型スピーカユニット、小型ブザー、昇圧回路（電撃パルス発生用）などが適宜組み込まれる。アクチエータ１２（１２Ｒおよび／または１２Ｌ）の外装周辺寄りの一部分は、クラウン台座２０２の側面でボタン止めされる。これにより、アクチエータ１２（１２Ｒおよび／または１２Ｌ）の外装部分は、クラウン台座２０２の外面に沿って、ボタン止め箇所を中心に、ユーザの手の力で回動できるようになる。この回動可能な取り付け方法により、アクチエータ１２（１２Ｒおよび／または１２Ｌ）の位置を右耳および／または左耳付近で適宜回転移動させて、位置決めすることができる。
【００８８】
クラウン台座２０２の右側側面の一部には、右側アクチエータ１２Ｒの回動を阻止しないように、右側顎紐２１０Ｒの一端が取り付けられる。同様に、クラウン台座２０２の左側側面の一部には、左側アクチエータ１２Ｌの回動を阻止しないように、左側顎紐２１０Ｌの一端が取り付けられる。左側顎紐２１０Ｌの他端は右側顎紐２１０Ｒの他端と重ねられ、その重なり部分に顎紐留め２１２が設けられる。ユーザは、顎紐留め２１２により１本に繋がった顎紐２１０Ｌと２１０Ｒを顎の下に回し、顎紐留め２１２からはみ出た顎紐の端を手で引っ張るなどして、顎紐の長さを顔の長さに合わせる。これにより、左側顎紐２１０Ｌはユーザの左頬に密着し、右側顎紐２１０Ｒはユーザの右頬に密着する。
【００８９】
図１、図２の下側電極１５１ｂは、図５の右側顎紐２１０Ｒ上で移動可能に取り付けられ、ユーザの右耳付近で頭髪または髭等の硬毛の生えていない領域、例えば、耳朶と揉み上げの間の領域に接触し、上下電極１５１ａ、１５１ｂを結ぶ線が右眼１５４Ｒを通過するように下側電極１５１ｂの位置が調節される。実際の眼球の厳密なサイズ・位置はユーザには判り難いが、眼球の大まかなサイズ・位置が分かっているので、上下電極１５１ａ、１５１ｂを結ぶ線が右眼１５４Ｒを通過するように調節することは可能である。同様に、図１、図２の下側電極１５２ｂは、図５の左側顎紐２１０Ｌ上で移動可能に取り付けられ、ユーザの左耳付近で頭髪または髭等の硬毛の生えていない領域、例えば、耳朶と揉み上げの間の領域に接触し、上下電極１５２ａ、１５２ｂを結ぶ線がユーザの左眼１５４Ｌを通過するように下側電極１５２ｂの位置が調節される。電極１５１ｂは、顎紐２１０Ｒに設けられた柔軟性のある電線１５８Ｒを通して、ＡＤＣ１５１０の「−」入力とＡＤＣ１５１２の「−」入力に接続される。同様に、電極１５２ｂは、顎紐２１０Ｌに設けられた柔軟性のある電線１５８Ｌを通して、ＡＤＣ１５２０の「−」入力とＡＤＣ１５１２の「＋」入力に接続される。
【００９０】
制帽２００の正面中央であってクラウン台座２０２の内側の“すべり”（ひさし２０６との境目付近）には、制帽２００の正面中央を通る垂線(図５のＡ−Ａ＊線）からみて左右対称になる位置に、図１、図２の上側電極１５１ａおよび１５２ａが取り付けられる。電極１５１ａおよび１５２ａ（制帽２００の外側からは見えない）は、“すべり”に取り付けられているので、電極１５１ａ、１５１ｂは制帽２００をかぶったユーザの額（左右両眼より内側）に密着するようになっている。ここでは図示しないが、電極１５１ａと電極１５２ａの中間に、図１６で説明する電極１５３をさらに取り付けてもよい。
【００９１】
クラウン台座２０２の前方の内側（ひさし２０６の中央真上）には、図４の情報処理部１１が配置され、この処理部１１に眼動検出部１５が接続される。この眼動検出部１５（または情報処理部１１）のＡＤＣ１５１０、１５２０、１５１２に、図５、図６に示した電極１５１ａ、１５１ｂ、１５２ａ、および１５２ｂが電気的に接続される。
【００９２】
第１実施形態では、
・制帽２００のクラウン台座２０２の内側の“すべり”に上側電極１５１ａ、１５２ａを配置する；
・顎紐２１０Ｒ、２１０Ｌに上下方向へ可動可能な下側電極１５１ｂ、１５２ｂを配置する。顎紐側の電極１５１ｂ、１５２ｂが上下方向で可動式になっているところがポイントである。左右それぞれの上下電極間を結ぶ線が左右それぞれの眼球を通過するように、顎紐上の下側電極１５１ｂ、１５２ｂの位置を調整する。これにより、頭部の正面図、平面図、側面図の３つにおいて上側電極１５１ａ、１５２ａと下側電極１５１ｂ、１５２ｂとを結ぶ線が眼球を通過することができ、瞬目や視線検出を行うに十分な振幅のＥＯＧ検出信号を得ることができる。
【００９３】
クラウン台座２０２の正面側のうち、ひさし２０６の中央真上付近に、図５に示すようにカメラ１３を(オプションで）設けることができる。ユーザは、図示しない鏡に映った自分の顔をカメラ１３で撮影できる。すると、その撮影画像から、下側電極１５１ｂ、１５２ｂの位置が適性であるかどうか、すなわち電極１５１ａ、１５１ｂを結ぶ線が右眼を通るか否か、あるいは電極１５２ａ、１５２ｂを結ぶ線が左眼を通るか否か）を画像処理で判定できる。
【００９４】
なお、アクチエータ１２（１２Ｒおよび／または１２Ｌ）によるユーザへのパルス電撃は、右の上下電極１５１ａ、１５１ｂ、および／または左の上下電極１５２ａ、１５２ｂを用いて、行うこともできる。
【００９５】
記章２０８がマジックテープなどにより天井（クラウン）部２０４に着脱自在に取り付けられる構成では、記章２０８を電池蓋として利用できる。すなわち、劣化した電池１７を交換する際には、記章２０８を天井部２０４からはがし取り、記章２０８の下の電池収納部（図示せず）から劣化電池１７を取り外して良品電池１７と交換し、記章２０８による電池蓋を閉じる。
【００９６】
情報処理部１１、電池１７、無線給電装置１８などは、厚手の記章２０８に内蔵させることもできる。この記章２０８がマジックテープなどにより天井部２０４側と着脱自在になっているときは、マジックテープの一部を切り取り、そこに多接点コネクタを設けることができる。この着脱自在記章２０８の内部回路（情報処理部１１など）は、図示しない多接点コネクタを介して、制帽２００側のアンテナ１９や眼動検出部１５と接続できる。着脱自在の記章２０８に無線給電用の小型アンテナ１９を設ける実施形態も考えられ、その場合は制帽２００側のアンテナ１９は不要となる。
【００９７】
着脱自在の記章２０８に情報処理部１１を内蔵させる実施形態では、各記章２０８内の情報処理部１１の不揮発性メモリ１１ｂ（図４）にその記章２０８の用途に応じたプログラムやパラメータを入れておくことができる。また、異なるプログラムやパラメータを持つ個々の記章２０８は、デバイスＩＤ１１ｇ（図４）に書き込まれたＩＤコードにより、識別できる。
【００９８】
このようにすると、制帽２００の本体はどの用途にも使える汎用製品となり、その用途（例えばＡ社のバスドライバ用、Ｂ社の電車運転士用など）は、着脱自在な記章２０８を使い分けることで、自在に変更できる。各記章２０８内の情報処理部１１の内蔵プログラムや内蔵パラメータにより、制帽２００の用途を決めることができる。
【００９９】
図７、図８は、ユーザが制帽２００を着用する様子を図５、図６とは別の角度から見た図を示す。図７は左側からユーザを見た状態を示し、図８は右前方からユーザを見た状態を示す。これらの図から、正面図、平面図または側面図の少なくともいずれかにおいて、上側電極１５１ａと下側電極１５１ｂを結ぶ線が眼球１５４Ｒを通過することが分る。
【０１００】
図９は、図５の制帽２００の変形例（“におい”カプセル１２０によりユーザに気付け薬等を嗅がせることができる例）を説明する図である。また、図１０は、図９のＢ−Ｂ＊線に沿った断面により制帽２００を説明する図である。
【０１０１】
制帽２００の前方に向いているクラウン台座２０２の内側の“すべり”の２箇所（ユーザの鼻の上方の、両目の間）には、図５と同様な上側電極１５１ａ、１５２ａが取り付けられる。図示しないが、電極１５１ａ、電極１５２ａの中間に図１６で説明する電極１５３をさらに取り付けてもよい。また、左右の顎紐２１０Ｌ、２１０Ｒには、図５と同様な下側電極１５１ｂ、１５２ｂが取り付けられる。左右の顎紐２１０Ｌ、２１０Ｒには、下側電極１５１ｂ、１５２ｂより下に位置調節可能なスライダ１５６Ｌ、１５６Ｒも取り付けられる。これらのスライダ１５６Ｌ、１５６Ｒの間には、これらの電極を橋渡しするようにフレキシブルだが姿勢維持力のあるワイヤ１２１が張られている。このワイヤ１２１上に、左右移動とワイヤの断面円周方向に回転可能な“におい”カプセル１２０が取り付けられる。カプセル１２０の構成については図１２を参照して後述する。
【０１０２】
右側の下側電極１５１ｂとスライダ１５６Ｒは、ユーザの右頬側の顎紐２１０Ｒ上で、少し力を加えることで自由に移動できるように取り付けられている。左側の下側電極１５２ｂとスライダ１５６Ｌも、ユーザの左頬側の顎紐２１０Ｌ上で、少し力を加えることで自由に移動できるように取り付けられている。顎紐２１０Ｌの先端部分および顎紐２１０Ｒの先端部分は互いに重ねられ、その重なった部分を顎紐留め２１２で締め付け固定することができる。この締め付け固定により顎紐２１０Ｒ、２１０Ｌはユーザの顔面上で殆ど動かなくなり、顎紐２１０Ｒ、２１０Ｌ上で位置決めされた電極１５１ｂ、１５２ｂ、スライダ１５６Ｒ、１５６Ｌ、およびワイヤ１２１もユーザの顔面上で殆ど動かなくなる。
【０１０３】
すなわち、ユーザは、制帽２００が脱げ落ちたり位置ずれしたりしないよう、制帽２００を着用したあとに顎紐２１０Ｒ、２１０Ｌの重なり具合を調整する。その後に、ユーザは、電極１５１ａ、１５１ｂを結ぶ線上に右眼のエリアが来るように、顎紐２１０Ｒに付いている電極１５１ｂを右耳付近でスライドさせる。同様に、ユーザは、電極１５２ａ、１５２ｂを結ぶ線上に左眼のエリアが来るように、顎紐２１０Ｌに付いている電極１５２ｂを左耳付近でスライドさせる。
【０１０４】
このようにすると、図１、図２に示すような電極配置を個々のユーザの顔面上で再現できるようになる。すると、ユーザの左右眼球の眼電位を、制帽２００のクラウン台座２０２の内側の“すべり”と顎紐２１０Ｒ、２１０Ｌに設けられた電極１５１ａ、１５１ｂ、１５２ａ、１５２ｂにより、効率的に検出できる。
【０１０５】
以上の電極位置調整がなされた後で、ユーザは、“におい”カプセル１２０が外鼻孔の下になるように、スライダ１５６Ｌ、１５６Ｒを鼻付近でスライドさせるとともに、“におい”カプセル１２０の開孔部分（におい放出面）がユーザの外鼻孔へ向くように、ワイヤ１２１上に取り付けられたにおいカプセル１２０の位置と角度を指先で調整する。これにより、眼電位の検出からユーザの状態を推定し、推定した状態に基づいて“におい”カプセル１２０を駆動して、ユーザに“におい”を知覚させ、ユーザの状態を変えることができる。
【０１０６】
図５の例ではオプションのカメラ１３は制帽２００の中央に１つであったが、図９の例ではステレオカメラ１３Ｒ、１３Ｌをオプションで設けている。ステレオカメラを用いれば、制帽２００をかぶったユーザの顔を３Ｄ画像として捉えることができる。そうすると、位置調整が必要な下側電極１５１ｂ、１５２ｂの眼球に対する前後位置関係も、画像解析の材料の１つに加えることができる。また、“におい”カプセル１２０がユーザの鼻孔より前に出すぎていないかどうかも、３Ｄ画像解析により判定可能となる。
【０１０７】
図１１は、制帽２００のクラウン（天井）２０４に取り付けられたアンテナ１９を用いた無線給電の実施状況を例示する図である。充電可能電池１７が放電状態の（またはフル充電状態にない）場合は、使用途中でのバッテリ切れを回避するために、使用前に電池１７を無線充電する（Ｑｉ規格に準拠したワイヤレス充電）。その充電方法は簡単であり、外部無線給電装置２０の電磁波放出アンテナ２０ｂが裏面に取り付けられたボード２０ａの表面に制帽２００のクラウン２０４を載せるだけである。ボード２０ａの所定位置に一定の重さがある制帽２００が載置されると、ボード２０ａ上の感圧センサ（図示せず）がその載置を検出する。すると、アンテナ２０ｂに接続された発振器２０ｃが発振を開始し、制帽２００のアンテナ１９を介して、電池１７が無線充電される。電池１７がフル充電状態に達したら、発振器２０ｃの発振は自動停止し、充電完了を示す合図（図示しない音や光）が出される。ユーザは、この充電完了合図を確認したら、制帽２００を着用し、前述した顎紐の電極位置調整などを行って、業務遂行に向かう。
【０１０８】
図１２は、図９の制帽２００で用いられた“におい”カブセル１２０の具体例を説明する図である。図１２（ａ）は、“におい”カブセル１２０の蓋１２０ｃ側から開孔部を見た図である。図１２（ｂ）は、図１２（ａ）のａ−ａ＊線に沿った断面を示し、図１２（ｃ）は“におい”カブセル１２０の斜視図である。外形１〜２ｃｍ程度の円筒形カプセル１２０の肉厚底部１２０ｂ（図１２（ｂ））には、フレキシブルだが姿勢維持力のある、断面円形のワイヤ１２１が貫通している。カプセル１２０は、手で力を加えれば、ワイヤ１２１の左右方向に自由に移動でき、ワイヤ１２１の円形断面の円周方向に自由に回動可能となっている。ワイヤ１２１上で位置決めされたあとのカプセル１２０は、底部１２０ｂの貫通孔内面とワイヤ１２１表面との間の摩擦により、位置決めされた場所に留まる（勝手に動かない）ようになっている。
【０１０９】
カプセル１２０の外周壁１２０ｗの上端にはオスネジ（図示せず）が切られている。このオスネジに勘合するメスネジ（図示せず）が切られた蓋１２０ｃが外周壁１２０ｗの上端にねじ込まれる。この蓋１２０ｃの天井１２０ｔには、部分的な開孔１２０ｐが開けられている。蓋１２０ｃの内側には、時計回りまたは反時計回りに半回転〜１回転できる小型プリントモータ１２０ｍが組み込まれている。モータ１２０ｍの回転軸１２０ｓには、半月状のシャッタ１２０ｈが取り付けられ、シャッタ１２０ｈの回転位置に応じて、開孔１２０ｐの開孔面積が変わるようになっている。シャッタ１２０ｈは、その回転位置に応じて蓋１２０ｃの開孔１２０ｐを完全に閉じることができるように、組み立てられる。モータ１２０ｍを駆動する給電電線（図示せず）は、ワイヤ１２１内を通して外部（例えば顎紐上のスライダ１５６Ｒ、１５６Ｌから電極１５１ｂ、１５２ｂ側）に導くことができる。
【０１１０】
カプセル１２０内には、例えば気付け用の薬剤（例えばアンモニア）をしみこませた綿または薬剤に侵されない材質の多孔性物質（スポンジ）１２０ａを詰め込むことができる。シャッタ１２０ｈが蓋１２０ｃを完全に閉じているときは、気付け薬の臭気がカプセル１２０の外部に出ないようにしてある。モータ１２０ｍに通電してシャッタ１２０ｈを回転させると、その回転角に応じたレートで蓋１２０ｃが開き、気付け薬の臭気がカプセル１２０内から外部に放出される。開孔１２０ｐがユーザの鼻腔に向くようにセットされているときに蓋１２０ｃを開くと、ユーザはその臭気の刺激で気付けされる。
【０１１１】
ワイヤ１２１の両端は、カプセル１２０がユーザの鼻先で動かなくなるように、ヘッドウェア（制帽、ゴーグル、ヘルメットなど）２００の特定部分に取り付けられる。一例として、ワイヤ１２１の右端を制帽２００の顎紐２１０Ｒ上で移動可能に取り付けられたスライダ１５６Ｒに固定し、ワイヤ１２１の左端を制帽２００の顎紐２１０Ｌ上で移動可能に取り付けられたスライダ１５６Ｌに固定することができる。スライダ１５６Ｒ、１５６Ｌに電気配線を接続し、この配線をモータ１２０ｍの給電に利用することができる。但しこのモータ給電で電極１５１ｂ、１５２ｂに接続されたＡＤＣが破損しないように、適切な保護回路を設けておくこともある。
【０１１２】
“におい”カプセル１２０は、気付け用以外にも利用できる。例えばカプセル１２０内に香水をしみ込ませておき、ユーザがストレス状態にあるときに香水の香りでリラックスできるようにすることも可能である。
【０１１３】
図１３は、運転手用帽子（制帽）２００を着用した運転手（例えばバスドライバ）の運行を管理するシステムにおいて、帽子２００のＥＯＧ電極で検出した眼電位変化パターン（例えば眼瞑りや瞬目によるＥＯＧ波形変化）からドライバの心身状態（眠気や緊張など）を推定し、推定結果に応じたイベントをドライバと運行管理システムに通知する例を説明する図である。
【０１１４】
＜車両運転手向け帽子型デバイスによる眠気や緊張度の推定＞
図１３の運転手用帽子（制帽の一種）２００は、外観は多少異なるものの、図５他の制帽２００に対応する構成を備えている。すなわち、図１３の帽子２００は、運転手（その帽子のユーザ）の額に当接する部分に上側ＥＯＧ電極１５１ａ、１５２ａを持ち、左右の顎紐に下側ＥＯＧ電極１５１ｂ、１５２ｂを持つ。帽子２００の内部には、図４の情報処理部１１による視線検出エンジン（眼動検出エンジン）が組み込まれている。この検出エンジンにより、運転手の瞬目(まばたき)や目瞑りなどの特徴的な眼動発生状況を、ＥＯＧ波形から検出できる。
【０１１５】
帽子２００のユーザ（運転手）の特徴的な眼動をＥＯＧ波形（図３参照）から検出することにより、ユーザの心身状態を推定（あるいは察知）することができる。具体例をあげると、瞬目の群発パターンが複数回連続して検出されたときは、ユーザが眠気に襲われていると推定することが考えられる。複数回の瞬目における平均閉眼時間が時間経過に伴い増加する傾向にあれば、疲労などによりユーザの意識低下が進んでいる（あるいは緊張感が落ちている）と推定することが考えられる。１度以上の眼瞑りにおいて、それらの閉眼時間が瞬目による閉眼時間より明らかに長い（例えば１秒以上、あるいは１分以上）ときは、ユーザは居眠りしている可能性があると考えることができる。
【０１１６】
検出された運転手の瞬目（まばたき）回数やその発生タイミング（発生時間）などの情報は、帽子２００からローカルプロセッサとしてのスマホ１０００へ、情報処理部１１内の通信処理部１１ｄを介してリアルタイムで送信される。スマホ１０００では、瞬目（まばたき）等の検出結果に基づく「眠気推定アプリ」や「緊張度推定アプリ」等が実行される。
【０１１７】
運転手の心身状態（緊張、ストレス、眠気、居眠りなどの状態）は、瞬目の出方により推定し得る、例えば、瞬目の発生頻度の変化を調べることにより、緊張やストレスの有無を推定できる。あるいは、瞬目の群発状態を調べたり、瞬目時間および／または瞬目速度の変化を調べたりすることで、眠気の有無を推定できる。なお、瞬目により目を閉じている時間がコンマ数秒より長く続くときは、その長い瞬目は眼瞑り状態と捉えることができる。眼瞑り状態が両目で同時検出されたときは、居眠りがあったと推定できる。なお、眼瞑りが片目だけのウインク状態は、居眠りとの推定から除外できる。
【０１１８】
例えば運転手の眠気が検出（推定）されたときは、「眠気推定アプリ」は、その検出イベントを「居眠り防止のアラート」として運転手に通知する。このアラートは、図４のアクチエータ１２により行うことができる。あるいは、例えば運転手の緊張が検出（推定）されたときは、「緊張度推定アプリ」はその検出イベントを運転手に通知する。「眠気推定アプリ」や「緊張度推定アプリ」によるイベント通知は、高速な公衆回線（４Ｇ  ＬＴＥなど）を介して、管理センター（運行管理者）１００００のモニタリングコンピュータへも送られる。このモニタリングコンピュータは、運転手用帽子２００をかぶった運転手の現状を遠隔監視しており、その運転手の運行記録に関するデータを蓄積し続けている。このデータ蓄積により、例えばその運転手が運転するバスが事故で大破しドライブレコーダが壊れてしまっても、ドライブレコーダの記録内容をモニタリングコンピュータ側に残すことができる。
【０１１９】
アプリは図３のような測定結果から単位時間当たりの瞬目の回数、１回の瞬目の平均持続時間等を求め、管理者端末あるいはユーザのスマホ１０００で表示するようにしてもよい。管理者端末での表示はリアルタイムでよいが、スマホ１０００での表示はリアルタイムではなく、勤務外の時に過去のデータを表示するようにする。表示内容は、推定した眠気度、集中度、緊張度、ストレス度等でもよい。これらは数値として表示するだけでなく、色、形状、大きさ等が数値により変化するアイコンとしても表示してもよい。
【０１２０】
＜ゴーグル、メガネ、またはヘルメットによる作業点検＞
定期点検が必要な設備（例えば発電所や化学工場）あるいは装置（例えば電車や飛行機）の保守点検作業員（ユーザ）は、図１、図２のようなＥＯＧ電極をフレームに備えた防護用ゴーグル（図示せず）、メガネ、あるいはヘルメットを着用して、保守点検作業に向かうことができる。
【０１２１】
図１３の例と同様に、作業員が着用するゴーグル、メガネ、あるいはヘルメットには視線検出エンジン（眼動検出エンジン）が組み込まれている。この検出エンジンにより、作業員の瞬目など特徴的な眼動の発生状況をＥＯＧ波形（図３）から検出できる。検出された作業員の瞬目回数やその発生タイミング（発生時間）などの情報は、ゴーグルあるいはヘルメットからスマホ１０００へ、情報処理部１１内の通信処理部１１ｄを介してリアルタイムで送信される。スマホ１０００では、瞬目等の検出結果に基づく「眠気推定アプリ」、「緊張度推定アプリ」、「ストレス推定アプリ」等が実行される。
【０１２２】
例えば作業員の眠気が検出（推定）されたときは、「眠気推定アプリ」は、その検出イベントを「居眠り防止のアラート」として作業員に通知する。このアラートは、図４のアクチエータ１２により行うことができる。あるいは、例えば作業員の緊張あるいはストレスが検出（推定）されたときは、「緊張度推定アプリ」あるいは「ストレス推定アプリ」はその検出イベントを作業員に通知する。「眠気推定アプリ」、「緊張度推定アプリ」、「ストレス推定アプリ」等によるイベント通知は、公衆回線（４Ｇ  ＬＴＥなど）を介して、管理センター（作業管理者）１００００のモニタリングコンピュータへも送られる。このモニタリングコンピュータは、ゴーグル、メガネ、あるいはヘルメットをかぶった作業員の現状を遠隔監視しており、その作業員の心身状態（眠気発生など）や作業状態（作業ミスの発生など）に関するデータを、作業時のタイムスタンプとともに、蓄積できるようになっている。
【０１２３】
ゴーグル、メガネ、あるいはヘルメットの前面にビデオカメラ（図示せず）１３を設け、そのビデオ撮影画像と各ビデオフレームのカウント値が管理センター１００００へ送信されるように構成することもできる。そうすると、保守点検作業終了後に設備（例えば発電機）あるいは装置（例えば電車）を試験運転した際に不具合がみつかったなら、その不具合が作業員のどのような不手際に起因するのかを、ビデオ画像から調査できる。
【０１２４】
＜ゴーグルによるコンピュータゲーム＞
コンピュータゲーム機のユーザ（ゲーマー）は、図１、図２のようなＥＯＧ電極を接眼フレームに備えたゴーグル型のヘッドマウントディスプレイ（図示せず）を着用して、ＶＲ（仮想現実）型の３Ｄビデオゲームをプレイできる。
【０１２５】
図１３の例と同様に、ゲーマーが着用するヘッドマウントディスプレイには視線検出エンジン（眼動検出エンジン）が組み込まれている。この検出エンジンにより、ゲーマーの視線上下動や瞬目など特徴的な眼動発生状況をＥＯＧ波形（図３）から検出できる。検出されたゲーマーの瞬目回数やその発生タイミング（発生時間）などの情報は、ヘッドマウントディスプレイからローカルプロセッサ（高速ＣＰＵを搭載したスマホ、あるいは高速ＣＰＵを搭載したＰＣ）１０００へ、情報処理部１１内の通信処理部１１ｄを介してリアルタイムで送信される。ローカルプロセッサ１０００では、瞬目等の検出結果に基づく「疲労度推定アプリ」や「ストレス推定アプリ」等が実行される。
【０１２６】
例えばゲーマーの疲労が検出（推定）されたときは、「疲労度推定アプリ」は、その検出イベントをゲーマーに通知して、休息を提案することができる。この通知は、図４のアクチエータ１２により行うことができる。あるいは、ゲーマーのストレスが検出（推定）されたときは、「ストレス推定アプリ」はその検出イベントをゲーマーに通知して、「ゲームの難易度を下げたらどうか？」といったような提案をすることができる。
【０１２７】
「疲労度推定アプリ」や「ストレス推定アプリ」等によるイベント通知は、公衆回線（４Ｇ  ＬＴＥなど）を介して、管理センター（ゲーム事業者）１００００のモニタリングコンピュータへ送ることもできる。このモニタリングコンピュータは、ヘッドマウントディスプレイ２００を着用したゲーマーの現状を遠隔監視することができ、そのゲーマーの生体情報（疲労状態やストレス状態など）やゲームのクリアレベル等に関するデータを、ゲームプレイ時のタイムスタンプ（あるいはプレイしたＶＲビデオゲームのビデオフレームカウント値）とともに、蓄積できるようになっている。モニタリングコンピュータに蓄積された多数のゲーマーからのデータ（ビッグデータになり得る）は、新たなゲーム開発に有効利用できる。
【０１２８】
図１４は、制帽２００を利用した車両（バスやトラックなど）の運行管理がどのように行われるのかの一例を説明するフローチャートである。
【０１２９】
ヘッドウェアの一例である制帽２００のユーザ（例えば長距離バスのドライバ）は、業務に出向く前に、制帽２００内の電池１７の状態を調べ、フル充電状態でないことがわかれば充電し（図１１参照）、充電してもフル充電状態にならないなら電池１７を良品に交換する（ＳＴ１０）。電池１７がＯＫなら、業務内容あるいは使用状況に応じてアラートのパラメータを設定し、動作チェックする（ＳＴ１０）。例えば、「１秒以上の眼瞑りが最初検出されたらアラート音を出し、１秒以上の眼瞑りが２度目に検出されたら電気パルスによる電気刺激を出す」といったパラメータ設定を行う。
【０１３０】
ヘッドウェア（制帽）２００を装着したユーザ（バスのドライバ）は、例えば鏡の前に立って自分の顔をみながら、装着した制帽２００の顎紐２１０上にあるＥＯＧ電極１５１ｂ、１５２ｂの位置を調整する（ＳＴ１２）。これにより、図１に示すような電極配置が得られるように、電極１５１ｂ、１５２ｂを位置決めできる。
【０１３１】
図５に示すように制帽２００をかぶったバスドライバは、自分が運転する大型バス（図示せず）に乗車した後、自分のスマホ１０００を用いて、自分のバス会社の運行管理センター１００００と無線接続する（ＳＴ１４）。そして、ＶＩＣＳ（道路交通情報通信システム）センターやＷＩＣＳ（気象情報通信サービス）会社と適宜インターネット接続できるようにし、カーナビおよびドライブレコーダを起動する（ＳＴ１４）。
【０１３２】
次に、バス運行を開始し（ＳＴ１６）、バスターミナルで乗客を乗せたあと、所定の運行計画に従って走行する（ＳＴ１８）。
【０１３３】
なお、運行計画で事前に決めておいた走行ルートは、ＶＩＣＳからの渋滞情報やＷＩＣＳからの天候情報に基づいて、適宜変更され得る。走行ルートの変更は、その変更がなされたときの現在時刻情報、ＧＰＳ位置情報、交通情報、気象情報、ドライバ仲間から入手した口コミ情報、ドライバのＥＯＧ波形変化イベント等を適宜織り交ぜて、適宜、運行管理センター１００００へ無線連絡される（ＳＴ２０）。
【０１３４】
無事目的地に到着したら、今回のバス運行は終了する（ＳＴ２２イエス）。運行途中（ＳＴ２２ノー）でＥＯＧの特定パターン（例えば眼瞑り）の検出時間がＴ１以上であったかどうかのチェックがなされる（ＳＴ２４）。Ｔ１の値は、ＳＴ１０のパラメータ設定時に例えば１秒と決めておくことができるが、Ｔ１の値は任意に変更可能となっている。検出時間がＴ１以上でないときは（ＳＴ２４ノー）、計画された走行を続ける（ＳＴ１８）。
【０１３５】
特定パターンの検出時間がＴ１以上であるときは（ＳＴ２４イエス）、図４のアクチエータ１２を用いて、ドライバにアラートを出す（ＳＴ２６）。アラートは音、振動、臭気、軽い電気刺激等を含む。Ｎ回以内（例えば１回以内）のアラートでドライバが所定時間Ｔ２以内に覚醒したなら（ＳＴ２８イエス）、アラートをオフにして、計画された走行に戻る（ＳＴ１８）。ここで、ＥＯＧ波形から、ドライバがアラートにびっくりして両目を「きりっと」見開く状態が数秒以上検出されたなら、ドライバが覚醒したと判定（推定）できる。Ｎの値は、ＳＴ１０のパラメータ設定時に例えば１と決めておくことができるが、Ｎの値は任意に変更できる。
【０１３６】
ドライバが所定時間Ｔ２以内に覚醒しないなら（ＳＴ２８ノー）、あるいはＴ２以内に覚醒してもその覚醒がＮ回を超える（例えば２回以上の）アラート反復の結果であったなら（ＳＴ２８ノー）、安全第一のため、アラートはオンのままとし（ＳＴ２８ノー）、計画された走行（ＳＴ１８）には戻らない。
【０１３７】
ドライバが所定時間Ｔ２以内に覚醒しない場合（ＳＴ２８ノー）、あるいはＴ２以内に覚醒してもその覚醒がＮ回を超えるアラート反復の結果であった場合（ＳＴ２８ノー）は、アラーとはオンのままとし、ＳＴ２４の特定パターン検出前後において、ドライバの頭部が「こっくり」したかどうか、またはハンドルを握る手に弛緩があったかどうか、チェックされる（ＳＴ３０）。頭部の「こっくり」は、図４のセンサ部１１ｅに設けた加速度センサにより検出できる。また、ハンドルを握る手の弛緩は、図４の感圧センサ１４により検出できる。
【０１３８】
ドライバが所定時間Ｔ２以内に覚醒しない場合（ＳＴ２８ノー）、あるいはＴ２以内に覚醒してもその覚醒がＮ回を超えるアラート反復の結果であった場合（ＳＴ２８ノー）でも、「こっくり」や「手の弛緩」が検出されていないときは（ＳＴ３０ノー）、ドライバは軽い睡魔に襲われたものの一時休息で回復する可能性があるものと推定して、自動運転モード１に移行できる（ＳＴ３２）。
【０１３９】
自動運転モード１では、車外に警告（テールランプの点滅など）を出しつつ減速して最寄りの路肩まで移動し、停車する（ＳＴ３２）。ドライバは、この停車状態で一時的に休息をとることができる。自動運転モード１が発動したことは運行管理センター１００００へ自動的に連絡され、運行管理者が適切な処置をとれるようにする。
【０１４０】
自動運転モード１が発動した際に、例えば回送時で乗客がおらず（ＳＴ３４ノー）、一時休息でドライバが正常運転可能なまでに回復したならば（ＳＴ３６イエス）、アラートをオフにして、計画された走行（回送など）に戻ることができる（ＳＴ１８）。
【０１４１】
自動運転モード１が発動した際に、例えば乗客が存在するときは（ＳＴ３４イエス）、直ぐに運行管理センター１００００へ交代ドライバを無線で要請し、交代ドライバがくるまで停車状態で待機するか、交代ドライバが待機する最寄りのパーキングまで自動運転により徐行運転（仮運行）する（ＳＴ３８）。その際、乗客には、状況説明の自動アナウンスがなされるようにするとよい。乗客がいる場合に直ぐ交代ドライバを要請する理由は、現在不調な状態にあるドライバがいつ回復するのか乗客には分からず、乗客の不安が増すからである。新たなドライバと交代したら（ＳＴ４０）、計画された走行に戻ることができる（ＳＴ１８）。
【０１４２】
なお、上記の自動運転には種々な方式が提案されているが、既知の自動運転技術の一例として、Googleセルフドライビングカーを紹介しておく。
【０１４３】
ドライバが所定時間Ｔ２以内に覚醒しない場合（ＳＴ２８ノー）、あるいはＴ２以内に覚醒してもその覚醒がＮ回を超えるアラート反復の結果であった場合（ＳＴ２８ノー）であって、「こっくり」や「手の弛緩」が検出されていたときは（ＳＴ３０イエス）、ドライバは居眠り（一時的睡眠状態）あるいは失神していた恐れがある。ドライバの居眠りや失神は大事故に繋がる緊急非常事態であると判定して、自動運転モード２に移行する（ＳＴ４２）。
【０１４４】
自動運転モード２では、車外に警告（ブレーキランプの点灯など）を出しつつ速やかに路上で停車する（ＳＴ４２）。自動運転モード２が発動したことは運行管理センター１００００へ自動的に連絡され、運行管理者が速やかに適切な処置をとれるようにする。状況により、警察や消防へも無線連絡が行くようにしてもよい。この実施形態においては、自動運転モード２が発動されるような緊急事態では、停車まで時間がかかり得るモード１の自動運転処理は採用していない。
【０１４５】
自動運転モード２（ＳＴ４２）が発動した際は、自動的に運行管理センター１００００へ交代ドライバを無線で要請し、交代ドライバがくるまで停車状態でその場に待機する（ＳＴ４４）。その際、乗客の不安を減らすため、状況説明のアナウンスを自動的に車内に流すとよい。なお、路上停車位置の直ぐ近くにバスを停められる広さの路肩があるときは、路上停車位置からその路肩まで自動運転でゆっくり移動し停車するようにしてもよい。新たなドライバと交代したら（ＳＴ４６）、計画された走行に戻ることができる（ＳＴ１８）。
【０１４６】
図１５は図１４の変形例であって、制帽２００を利用した電車の運行管理がどのように行われるのかの一例を説明するフローチャートである。バスのドライバを電車の運転士に置き換え、バスのハンドルを電車の操作レバーに置き換え、電車の運行管理にＡＴＣを導入し、電車の自動運転をＡＴＣにより行う場合を想定してみる。そうすると、図１５のＳＴ１１０〜ＳＴ１２８は、図１４のＳＴ１０〜ＳＴ２８と同様な処理となる。また、図１５のＳＴ１３２とＳＴ１４０は、図１４のＳＴ３２とＳＴ４０（またはＳＴ４２とＳＴ４６）に対応した処理となる。図１４の処理を行うコンピュータプログラムと図１５の処理を行うコンピュータプログラムは類似しており、処理上の相違点部分のプログラムを書き換え、そのプログラムで使用するパラメータを適宜変更するだけで、どちらの処理にも対応可能なコンピュータプログラムを作成できる。
【０１４７】
なお、電車の走行管理の場合は、車両走行が線路上に限定されることと、自動車の自動運転よりも強力なＡＴＣによる制御があるので、ＳＴ１２４におけるＴ１（眼瞑りなどの検出閾値）は、図１４のＳＴ２４よりも長めに設定することが考えられる。
【０１４８】
図１６は、眼電位検出用電極の配置例の変形例（図１、図２の例に新たな電極１５３を追加した例）を説明する図である。図１６では、ユーザの皮膚電位とＡＤＣの回路電位を合わせるための電極１５３が上側電極１５１ａ、１５２ａの中間の位置において、ユーザの皮膚面に接触するように設けられている。
【０１４９】
図２の実施形態では３つのＡＤＣを用いているが、図１６の実施形態ではアナログマルチプレクサ１５０１とアナログ平衡アンプ１５０２を用いて、３つのＡＤＣ機能を１つのＡＤＣ１５０３に纏めている。３つのＡＤＣ機能が纏められたＡＤＣ１５００の電源（Ｖｄｄ=３．３Ｖ）とグランド（ＧＮＤ）の間には抵抗Ｒ１とＲ２の直列回路が接続され、Ｒ１とＲ２の接続点に、電極１５３が繋がっている。このようにすると、ＡＤＣ１５００の電源の中点電位（１．６５Ｖ）がユーザの皮膚電位と同じになる。すると、ユーザの皮膚電位に混じりこむノイズ電位でＡＤＣ１５００の電源中点電位が動くため、ユーザの皮膚電位のノイズがＡＤＣの変換結果に混入し難くなる。これにより、ユーザの生体電位の検出Ｓ／Ｎの劣化を防止できる。
【０１５０】
上述の説明は帽子に関するが、第１実施形態のヘッドウェアはサンバイザ、ヘルメット等にも適用可能である。
【０１５１】
第１実施形態によれば、ヘッドウェアにおいてユーザの額に接する“すべり”に上側電極１５１ａ、１５２ａが設けられ、顎紐の耳付近の頭髪または髭等の硬毛の生えていない領域に下側電極１５１ｂ、１５２ｂが設けられる。下側電極１５１ｂ、１５２ｂの位置は、正面図、平面図、側面図の３つにおいて上側電極１５１ａ、１５２ａと下側電極１５１ｂ、１５２ｂを結ぶ線が眼球を通過するように調整することができる。しかし、下側電極１５１ｂ、１５２ｂの位置は必ずしも正面図、平面図、側面図の３つにおいて調整しなければならないものではなく、正面図、平面図、側面図の少なくともいずれかにおいて上側電極１５１ａ、１５２ａと下側電極１５１ｂ、１５２ｂを結ぶ線が眼球を通過するように調整すればよい。ヘッドウェアの顎紐に下側電極１５１ｂ、１５２ｂを取り付けるというヘッドウェアの若干の変更が必要であるが、その変更はユーザには気付かれない程度のものであるので、ユーザが違和感を覚えることがなく、ユーザの抵抗無く、ユーザの眼電位、眼球の回転を精度よく検出することができる。眼球の回転検出結果から、ユーザの眠気度、集中度、緊張度、ストレス等が推定でき、推定結果に応じた適切な対応をとることが可能であり、居眠り運転や作業ミス等を防止することができる。なお、顔には頭髪または髭等の硬毛が生えている領域もあり、これらの領域に電極が設けられると、正しく眼電位を検出できない可能性がある。第１実施形態によれば、上側電極は額に接触し、下型電極も硬毛の生えていない耳の周辺に接触しているので、眼電位を正しく検出できる。
【０１５２】
他の実施形態を説明する。他の実施形態の説明で、第１実施態様と対応する要素には同じ参照数字を付して、詳細な説明を省略する場合もある。第1実施形態の説明の中の図９、図１０に示す変形例、図１１に示す電池の充電方法、図１２に示す“におい”カプセルの詳細、図１３に示す運行管理システム、図１４、図１５に示す運行管理システムのフローチャート、図１６に示す電極配置の変形例の説明は他の実施形態にも同様に適用されるので、重複する説明は省略する。
【０１５３】
［第２実施形態］  
第１実施形態は制帽等のヘッドウェアに関する。第２実施形態も同様に制帽等のヘッドウェアに関するが、頭部の皮膚の硬毛の生えていない領域に接触可能な下側電極の取り付けにおいて、第２実施形態は第１実施形態と異なる。第１実施形態では顎紐を利用して下型電極を耳付近に取り付けるが、顎紐が無いヘッドウェアもある。第２実施形態は、図１７（ａ）に示すように顎紐が無いヘッドウェアに関する。図１７はヘッドウェアとしてはサンバイザ３０４を示すが、第１実施形態と同様に、第２実施形態も帽子、ヘルメット、メガネ、ゴーグル等にも適用可能である。
【０１５４】
図１７（ａ）に示すようにサンバイザ３０４は頭部に嵌められるバンド部３０６と、バンド部３０６から前方に延びる“ひさし”３０８からなる。バンド部３０６は頭部の周囲を一周する環状、ベルト状のものでもよいが、図１７（ａ）に示すように額から耳の後位まで達するが後頭部は欠けている嵌め具形状のものでもよい。後者の場合、バンド部３０６は頭部に密着するように弾性を有することがある。
【０１５５】
バンド部３０６の額に接触する箇所に上側電極１５１ａ、１５２ａが設けられ、バンド部３０６の耳に対応する箇所に電極取り付け用のガイド３０２Ｒ、３０２Ｌが設けられる。図示しないが、図４に示す情報処理部と周辺回路もバンド部３０６に実装される。ガイド３０２Ｒ、３０２Ｌの先端に下側電極１５１ｂ、１５２ｂが取り付けられる。下側電極１５１ｂ、１５２ｂは図示しないリード線を介して第1実施形態と同じ情報処理部１１と周辺回路に接続される。情報処理部１１と周辺回路はバンド部３０６等に配置される。第1実施形態と同様に、下側電極１５１ｂ、１５２ｂの位置は、正面図、平面図、側面図の３つにおいて上側電極１５１ａ、１５２ａと下側電極１５１ｂ、１５２ｂとを結ぶ線が眼球を通過するように調整可能である。しかし、第1実施形態と同様に、下側電極１５１ｂ、１５２ｂの位置は必ずしも正面図、平面図、側面図の３つにおいて調整しなければならないものではなく、正面図、平面図、側面図の少なくともいずれかにおいて上側電極１５１ａ、１５２ａと下側電極１５１ｂ、１５２ｂを結ぶ線が眼球を通過するように調整すればよい。
【０１５６】
図１等から明らかなように下型電極は頭部の皮膚の硬毛の生えていない領域、例えば耳周辺に配置される。そのため、ガイド３０２Ｒ、３０２Ｌの先端は、耳朶と揉み上げの間の領域、耳介、耳朶、乳様突起、乳様突起と耳朶の間の窪み、乳様突起直下の領域等に位置する。図１７（ｃ）、（ｄ）は、ガイド３０２Ｒ、３０２Ｌの先端が乳様突起と耳朶の間の窪みに位置する例を示す。ガイド３０２Ｒ、３０２Ｌはその先端に取り付けられた電極１５１ｂ、１５２ｂを皮膚に押さえつけるような弾性を有する部材、例えばバネからなってもよい。
【０１５７】
第２実施形態のサンバイザ３０４は単独でも眼電位を検出できるが、図１７（ｂ）に示すようなインカム３１２とともに着用されることもある。そのため、ガイド３０２Ｒ、３０２Ｌがインカムのヘッドフォンと干渉しないように、ガイド３０２Ｒ、３０２Ｌは耳の後でバンド部３０６に取り付けられる。図１７（ｃ）はインカムの上からサンバイザが着用される一例を示す。図１７（ｄ）はインカムとサンバイザの左側側面図であり、図１７（ｅ）はインカムとサンバイザの正面図である。ガイド３０２Ｒ、３０２Ｌはインカムの耳当ての下を通り、乳様突起と耳朶の間の窪みに下側電極１５１ｂ、１５２ｂを接触させる。下側電極１５１ｂ、１５２ｂが耳朶と揉み上げの間の領域、耳介、耳朶等の耳の前側の領域に接触させる場合は、ガイド３０２Ｒ、３０２Ｌは耳当ての上を通ってもよいし、ガイド３０２Ｒ、３０２Ｌは耳の前でバンド部３０６に取り付けられてもよい。
【０１５８】
第２実施形態によれば、顎紐が無いヘッドウェアを着用する場合でも、上側電極と下側電極を図１、図２に示すような位置関係で配置することができるので、眼電位、眼球回転を正確に測定することができる。第１実施形態に比べて顎紐が無いので、ユーザがヘッドウェアを着用する際、ストレスを感じることが少なく、ヘッドウェアの使い勝手がよい。さらに、帽子ではなくサンバイザとすることにより、インカムを着用する場合でも、インカムと眼電位検出可能なヘッドウェアとの併用が容易である。勤務中に制帽を着用する業界でも夏季はクールビズのため脱帽で勤務する場合もあるが、サンバイザであればクールビズにもなるし日除けにもなり、バス等の安全運転に寄与できる。
【０１５９】
図１８は第２実施形態が適用された帽子の例を示す。ガイド３０２Ｒ、３０２Ｌはクラウン台座の耳に対応する箇所に設けられる。上側電極１５１ａ、１５２ａは第１実施形態と同様にクラウン台座の内側の“すべり”に設けられる。図１８の帽子もサンバイザ３０４と同様に単独でも眼電位を検出可能であるが、インカムとともに着用可能でもある。図４の情報処理部１１と周辺回路がクラウン台座の前方の内側（ひさしの中央真上）に配置される。
【０１６０】
［第３実施形態］  
第１、第２実施形態ではＥＯＧ電極はヘッドウェアに取り付けられている。上側電極は額に接触する必要があり、ヘッドウェアの“すべり”に設けられるが、下側電極は硬毛の生えていない領域、例えば耳周辺に設けられればよく、ヘッドウェアの一部である顎紐に取り付ける必要、あるいはヘッドウェアを変更して電極取り付け用のガイドを設ける必要は無い。下側電極をヘッドウェアとは無関係な部材、例えばイヤークリップ、イヤーフック、イヤーカフ、イヤリング、イヤホン、ヘッドセットまたはインカム等の耳に取り付けられるイヤウェアにより耳周辺に設ける第３実施形態を図１９、図２０を参照して説明する。
【０１６１】
図１９はマイク、イヤホンからなる右耳用の耳掛け型ヘッドセット２００Ｒを示す。図２０は図１９のヘッドセット２００Ｒを左右反転した形状を持つ左耳用の耳掛け型ヘッドセット２００Ｌがユーザに装着された状態を説明する。右耳用ヘッドセット２００Ｒと左耳用ヘッドセット２００Ｌは、左右で対称の外観構造を持ち、機能的には同様に構成できる。ただし、ヘッドセット２００Ｒ、２００Ｌは左右で異なる外観構造、異なる機能であってもよい。
【０１６２】
ヘッドセット２００Ｒは、ユーザの右耳朶と乳様突起との間の窪みに当接する位置に下側電極１５１ｂを備えている。下部電極１５１ｂは、耳朶と揉み上げの間の領域、耳介、耳朶、乳様突起、乳様突起直下の領域等の硬毛の生えていない領域に当接するように設けられてもよい。ヘッドセット２００Ｒは、ユーザの右耳朶の裏側（後頭部側）に当接する構造体の内部に、図４で説明した情報処理部１１、眼動検出部１５、充電可能電池１７、無線受電装置１８、小型アンテナ１９等を備えている。下側電極１５１ｂは図示しないリード線を介して情報処理部１１に接続される。さらに、ヘッドセット２００Ｒは、ユーザの右外耳道に挿入される部分にアクチエータ１２（イヤホン機能等を持つ）を備え、ユーザの右頬の一部に当接する位置にマイク（および／または振動ピックアップ）１６を備えている。
【０１６３】
同様に、ヘッドセット２００Ｌ（図２０）は、ユーザの左耳朶と乳様突起との間の窪みに当接する位置に下側電極１５２ｂを備えている。下部電極１５２ｂも、耳朶と揉み上げの間の領域、耳介、耳朶、乳様突起、乳様突起直下の領域等の硬毛の生えていない領域に当接するように設けられてもよい。また、ヘッドセット２００Ｌは、ユーザの左耳朶の裏側（後頭部側）に当接する構造体の内部に、図４で説明した情報処理部１１、眼動検出部１５、充電可能電池１７、無線受電装置１８、小型アンテナ１９等を備えている。下側電極１５２ｂは図示しないリード線を介して情報処理部１１に接続される。さらに、ヘッドセット２００Ｌは、ユーザの左外耳道に挿入される部分にアクチエータ（イヤホン）１２を備え、ユーザの左頬の一部に当接する位置にマイク（および／または振動ピックアップ）１６を備えている。なお、左右のヘッドセット２００Ｒ、２００Ｌにそれぞれ情報処理部１１と周辺回路が設けられているので、図１９のヘッドセット２００Ｒと図２０のヘッドセット２００Ｌはセットで使用しなくて、いずれか一方のみを使用してもよい。また、図１９、図２０の左右のヘッドセット２００Ｒ、２００Ｌをセットで使用する前提があれば、情報処理部１１と周辺回路は左右のヘッドセット２００Ｒ、２００Ｌのいずれか一方のみに設けてもよい。その場合、一方のヘッドセット内の下側電極からの検出信号がリード線を介して、あるいは無線を介して、他方のヘッドセット内の情報処理部１１と周辺回路に伝送される。
【０１６４】
第３実施形態では、帽子、サンバイザ等のヘッドウェアが着用される場合は、上側電極は、第１、第２実施形態と同様に、ヘッドウェアの“すべり”に設けてもよい。ヘッドウェアが着用されない場合は、サンバイザのベルト部のような押さえ部材に設けてもよいし、さらには、接着性のあるジェルパッド等の接着剤により額に貼り付けてもよい。いずれの場合でも、上側電極からのリード線がピンジャックやホック等によりヘッドセット内の情報処理部１１と周辺回路に接続される。ヘッドセット等のイヤウェアの着用は眼鏡を掛けない人には全く影響がないし、眼鏡を掛ける人にもゴム製であれば眼鏡の“つる”の滑り止めを防止できる効果もある。
【０１６５】
乳様突起には胸鎖乳突筋が付着しているので、眼電位のみならず筋電位も検出される可能性がある。しかし、この筋肉は乳様突起が終点位置になるので、筋電位は眼電位に比べて非常に小さく、下部電極の出力は実質的に眼電位のみであり、筋電位の影響はない。
【０１６６】
ヘッドセット以外の他のイヤウェア、例えばイヤークリップ、イヤーフック、イヤーカフ、イヤリング、またはインカムの耳当て等を用いて下型電極１５１ｂ、１５２ｂを取り付けてもよい。
【０１６７】
第３実施形態によっても、下側電極１５１ｂ、１５２ｂの位置は、正面図、平面図、側面図の３つにおいて上側電極１５１ａ、１５２ａと下側電極１５１ｂ、１５２ｂを結ぶ線が眼球を通過するように調整することができるので、眼電位、眼球回転を正確に測定することができる。第1実施形態と同様に、下側電極１５１ｂ、１５２ｂの位置は必ずしも正面図、平面図、側面図の３つにおいて調整しなければならないものではなく、正面図、平面図、側面図の少なくともいずれかにおいて上側電極１５１ａ、１５２ａと下側電極１５１ｂ、１５２ｂを結ぶ線が眼球を通過するように調整すればよい。下側電極はヘッドウェアとは無関係であるので、上側電極をヘッドウェアと無関係に取り付ける場合は、ヘッドウェアを着用する必要はない。運転手、車掌、作業員等は制帽とともにヘッドセットあるいはインカムを着用する場合がある。第３実施形態によれば、帽子の着用を必要としないので、夏季にクールビズのため脱帽で勤務しても、ヘッドセットあるいはインカムに下側電極が設けられていれば、上側電極だけ追加することにより、脱帽時でも眼電位、眼球回転を検出することができる。
【０１６８】
［第４実施形態］  
第１〜第３実施形態は下側電極を取り付ける部材を必要とするが、電極取り付け部材を不要とし、硬毛が生えていない領域、例えば耳の周辺に下側電極を貼り付ける第４実施形態を説明する。第４実施形態では、図２１に示すように、左側の耳朶と揉み上げの間の領域１６２、耳介１６４、耳朶１６６、乳様突起１６８、乳様突起と耳朶の間の窪み１７０、乳様突起直下の領域１７２等に下型電極が貼り付けられる。電極の貼り付けには、ジェルパッド、両面テープ等の接着性のある媒体が利用可能である。右側も同様に耳の周辺に電極が貼り付けられる。図示しないが、図４の情報処理部１１と周辺回路がクラウン台座の前方の内側（ひさしの中央真上）に配置される。
【０１６９】
上側電極は上述の実施形態のいずれかの方法により取り付けられる。図２１は帽子またはサンバイザが着用される前提であり、“すべり”に上側電極が設けられ、情報処理部１１と周辺装置も“すべり”に設けられる。図示しないが、下型電極にはリード線が接続され、リード線を介して情報処理部１１と周辺回路に接続される。リード線と情報処理部１１と周辺回路の接続は、ピンジャックやホック等により行われる。なお、上側電極はヘッドウェアとは無関係にベルト等により額に取り付ける、あるいは下側電極と同様にジェルパッド等の接着性のある媒体により額に接着させてもよい。
【０１７０】
第４実施形態によっても、下側電極の位置は、正面図、平面図、側面図の３つにおいて上側電極と下側電極を結ぶ線が眼球を通過するように調整することができるので、眼電位、眼球回転を正確に測定することができる。第1実施形態と同様に、下側電極の位置は必ずしも正面図、平面図、側面図の３つにおいて調整しなければならないものではなく、正面図、平面図、側面図の少なくともいずれかにおいて上側電極と下側電極を結ぶ線が眼球を通過するように調整すればよい。下側電極を貼り付ける場所には制約はないので、上側電極と下側電極とを結ぶ線が眼球の中心を通るような位置に貼り付けることができ、高Ｓ／ＮでＥＯＧ検出波形を得ることができる。さらに、第３実施形態と同様に上側電極をヘッドウェアと無関係に取り付ける場合は、ヘッドウェアを着用する必要はないので、夏季のクールビズにも容易に対応可能である。
【０１７１】
［第５実施形態］  
上述した実施形態では、下部電極は硬毛の生えていない領域、例えば耳の周辺の皮膚に接触される。しかし、眼球はほとんどが体内に隠れているので、図２２に示すように外耳道１７６に設けても図１の関係が満たされる。外耳道１７６も硬毛が生えていない領域である。図２２の１６６は耳朶である。外耳道１７６に下側電極を設ける手段の一例は、図２３に示すように、イヤホンに下側電極を取り付ける例がある。上述の実施形態でインカムの着用について説明したが、マイクが不要な場合は、運転手等への指示やアラートのためにイヤホンが着用されることがある。
【０１７２】
図２３（ａ）に示すように、左右のイヤホン３２０Ｌ、３２０Ｒにおいて、イヤチップ３２６の後側の本体の周囲に導電性繊維（例えば銀メッキ繊維）３２８を巻き付けて下側電極とする。導電性繊維３２８にはリード線３２２が接続され、図示しない情報処理部と周辺回路に接続される。３２４はイヤホン３２０に音声信号を伝送する信号線である。図２３（ｂ）に示すように、導電性繊維３２８は本体の周囲全周に巻き付ける必要はなく、一部分は本体が露出していてもよい。このようにすることで、イヤホンに下側電極を設けても、ユーザには全く違和感がなく、眼電位、眼球回転の検出に対する抵抗感が生じない。
【０１７３】
上側電極は上述の実施形態のいずれかの方法により取り付けられる。
【０１７４】
第５実施形態によっても、眼電位、眼球回転を正確に測定することができる。
【０１７５】
［第６実施形態］  
上述の実施形態のヘッドウェアは帽子、サンバイザを例にとり説明したが、メガネ、ゴーグル等のアイウェアに適用した第６実施形態を説明する。図２に示す第１チャネルＣｈ０が眼球を左右方向に挟む電極対を構成する電極間の電位差を検出し、第２、第３チャネルＣｈ１、Ｃｈ２が眼球を上下方向に挟む電極対を構成する電極間の電位差を検出するので、上述の実施形態の検出対象は、瞬き（上下方向の視線移動で、瞬目と目瞑りを含む）と緩徐運動（左右方向の視線移動）である。
【０１７６】
第６実施形態では、左右の眼球における水平方向で同方向の回転及び逆方向の回転を検出することを目的とし、理想的には同一の平面内において、左右それぞれの眼球に対して同相（同じベクトル）となる前後位置で、かつ左右それぞれの眼球に対して逆相（逆のベクトル）となる左右方向から眼球を挟むように電極の配置を変更し、眼球を前後方向及び左右方向に挟む電極対の検出信号を得るようにしている。なお、第６実施形態も瞬きと緩徐運動と輻輳角変動を全て検出可能ではあるが、瞬きを示す検出信号のレベルは小さいので、検出信号のレベルが大きい緩徐運動と輻輳角変動を検出対象とする。
【０１７７】
図２４は、第６実施形態に係るメガネの一例を前方の上部から見た様子を示す。図２５は、図２４のメガネを下から見た様子を示す。右フレーム６０２、左フレーム６０４がブリッジ６０６により互いに接続される。第６実施形態では、右／左はユーザから見た右／左を意味する。右フレーム６０２、左フレーム６０４にはテンプル６１２、６１４がそれぞれ取り付けられる。テンプル６１２、６１４の後端の耳にあたる部分には金属箔からなるテンプル電極６２６、６２８がそれぞれ取り付けられる。テンプル電極６２６、６２８は、図２５に示すように、テンプル６１２、６１４の側面（側頭部に接する）と下面（耳の付け根に接する）に亘って設けられ、メガネが顔に装着される際、テンプル６１２、６１４の自重により、テンプル電極６２６、６２８が耳の付け根の硬毛が生えていない領域に接触する。右フレーム６０２、左フレーム６０４にはノーズパッド６１６、６１８がそれぞれ取り付けられる。ノーズパッド６１６、６１８の表面の鼻に接触する部分にはノーズパッド電極６２２、６２４がそれぞれ取り付けられる。テンプル電極６２６、６２８は左右フレーム６０２、６０４を結ぶ直線の中点と直交する直線（例えば鼻の中心から後頭部に延びる直線）に関して線対称である。
【０１７８】
図２６は第６実施形態のメガネをかけたユーザを右前方から見た様子を示す。図２６に示すように、右ノーズパッド電極６２２と右テンプル電極６２６とを結ぶ線は、頭部の平面図、側面図において眼球を通過する。なお、上述した実施形態と同様に、２つの電極を結ぶ線は眼球の中心に限らず眼球のいずれかの部分を通過すればよい。同様に、左ノーズパッド電極６２４と左テンプル電極６２８とを結ぶ線は頭部の平面図、側面図において眼球を通過する。
【０１７９】
情報処理部６３２とバッテリ６３４が両方のテンプル６１２、６１４にそれぞれ内蔵、あるいは外付けされる。図２４では、情報処理部６３２が右テンプル６１２に設けられ、バッテリ６３４が左テンプル６１４に設けられるが、情報処理部６３２が左テンプル６１４に設けられ、バッテリ６３４が右テンプル６１２に設けられてもよい。さらには、情報処理部６３２とバッテリ６３４が一つのテンプル、フレーム等に内蔵あるいは外付けされてもよい。情報処理部６３２は図４に示す第１実施形態の情報処理部１１、眼動検出部１５、無線受電装置１８を備え、図１と同様の機能を有する。ただし、第６実施形態の情報処理部６３２の電源は第１実施形態とは異なり、無線給電により充電される充電可能電池１７ではなく、ボタン電池と呼ばれる小型のバッテリ６３４からなる。
【０１８０】
図２７は、ノーズパッド電極６２２、６２４、テンプル電極６２６、６２８の中のいずれの２つの電極で電位差を検出するか、すなわち４つの電極をどのように３つのＡ／Ｄコンバータ（ＡＤＣ  Ｃｈ０〜Ｃｈ２）６３２、６３４、６３６に接続するかの一例を示す。右テンプル電極６２６が第１チャネル（Ｃｈ０）のＡＤＣ６３２のマイナス入力端子（−）に接続され、左テンプル電極６２８が第１チャネルのＡＤＣ６３２のプラス入力端子（＋）に接続される。右テンプル電極６２６は右眼球６４０Ｒより右に位置し、左テンプル電極６２８は左眼球６４０Ｌより左に位置する。そのため、左右のテンプル電極対６２６、６２８は眼球を左右（それぞれの眼球については対称／逆相）方向から挟む図２の下側電極対１５２ｂ、１５２ａに対応する。そのため、第１チャネルＣｈ０の検出信号は視線の左右移動（緩徐運動）を示す。
【０１８１】
右ノーズパッド電極６２２が第２チャネルＣｈ１のＡＤＣ６３４のプラス入力端子（＋）に接続され、右テンプル電極６２６が第２チャネルのＡＤＣ６３４のマイナス入力端子（−）に接続される。右ノーズパッド電極６２２は右眼球６４０Ｒより前に位置し、右テンプル電極６２６は右眼球６４０Ｒより後に位置する。そのため、右側の電極対６２２、６２６は眼球を前後方向から挟み、第２チャネルＣｈ１の検出信号は輻輳角変動を示す。
【０１８２】
同様に、左ノーズパッド電極６２４が第３チャネル（Ｃｈ２）のＡＤＣ６３６のプラス入力端子（＋）に接続され、左テンプル電極６２８が第３チャネルのＡＤＣ６３６のマイナス入力端子（−）に接続される。左ノーズパッド電極６２４は左眼球６４０Ｌより前に位置し、左テンプル電極６２８は左眼球６４０Ｌより後に位置する。そのため、左側の電極対６２４、６２８は眼球を前後方向から挟み、第３チャネルＣｈ２の検出信号は輻輳角を示す。
【０１８３】
上記の説明はメガネに限らず、ゴーグルにも適用可能である。例えば、ノーズパッドの代わりにゴーグルの前面のフォームの一部に電極を設け、テンプルの代わりにベルトに電極を設けてもよい。
【０１８４】
図２８〜図３１は眼球を正面向きから左右に回転した場合のＡＤＣの検出信号の変化を示す。図２７はユーザの視線方向が正面方向である状態を示す。この状態から図２８に示すように左右の眼球６４０Ｌ、６４０Ｒが左に回転（視線が左に移動）すると、右眼球６４０Ｒのプラスに帯電している角膜が右ノーズパッド電極６２２に近づき、マイナスに帯電している網膜が右テンプル電極６２６に近づく。同様に、左眼球６４０Ｌのプラスに帯電している角膜が左テンプル電極６２８に近づき、マイナスに帯電している網膜が左ノーズパッド電極６２４に近づく。このため、左右電極対６２８、６２６が接続される第１チャネル（Ｃｈ０）のＡＤＣ６３２の検出信号は凸波形（上に凸な波形）となる。右側のノーズパッド電極６２２、テンプル電極６２６が接続される第２チャネル（Ｃｈ１）のＡＤＣ６３４の検出信号は凸波形（上に凸な波形）となる。左側のノーズパッド電極６２４、テンプル電極６２８が接続される第３チャネル（Ｃｈ２）のＡＤＣ６３６の検出信号は凹波形（下に凸な波形）となる。
【０１８５】
図２７の状態から図２９に示すように左右の眼球６４０Ｌ、６４０Ｒが右に回転（視線が右に移動）すると、右眼球６４０Ｒのプラスに帯電している角膜が右テンプル電極６２６に近づき、マイナスに帯電している網膜が右ノーズパッド電極６２２に近づく。同様に、左眼球６４０Ｌのプラスに帯電している角膜が左ノーズパッド電極６２４に近づき、マイナスに帯電している網膜が左テンプル電極６２８に近づく。このため、左右電極対６２８、６２６が接続される第１チャネル（Ｃｈ０）のＡＤＣ６３２の検出信号は凹波形（下に凸な波形）となる。右側のノーズパッド電極６２２、テンプル電極６２６が接続される第２チャネル（Ｃｈ１）のＡＤＣ６３４の検出信号は凹波形（下に凸な波形）となる。左側のノーズパッド電極６２４、テンプル電極６２８が接続される第３チャネル（Ｃｈ２）のＡＤＣ６３６の検出信号は凸波形（上に凸な波形）となる。
【０１８６】
図２７の状態から図３０に示すように右眼球６４０Ｒが左に回転し、左眼球６４０Ｌが右に回転する（両眼が互いに近づく方向に輻輳角が変化する）と、右眼球６４０Ｒのプラスに帯電している角膜が右ノーズパッド電極６２２に近づき、マイナスに帯電している網膜が右テンプル電極６２６に近づく。同様に、左眼球６４０Ｌのプラスに帯電している角膜が左ノーズパッド電極６２４に近づき、マイナスに帯電している網膜が左テンプル電極６２８に近づく。このため、左右電極対６２８、６２６が接続される第１チャネル（Ｃｈ０）のＡＤＣ６３２の検出信号は変化がなく、凸波形も凹波形も現れない。右側のノーズパッド電極６２２、テンプル電極６２６が接続される第２チャネル（Ｃｈ１）のＡＤＣ６３４の検出信号は凸波形（上に凸な波形）となる。左側のノーズパッド電極６２４、テンプル電極６２８が接続される第３チャネル（Ｃｈ２）のＡＤＣ６３６の検出信号は凹波形（下に凸な波形）となる。
【０１８７】
図２７の状態から図３１に示すように右眼球６４０Ｒが右に回転し、左眼球６４０Ｌが左に回転する（両眼が互いに離間する方向に輻輳角が変化する）と、右眼球６４０Ｒのプラスに帯電している角膜が右テンプル電極６２６に近づき、マイナスに帯電している網膜が右ノーズパッド電極６２２に近づく。同様に、左眼球６４０Ｌのプラスに帯電している角膜が左テンプル電極６２８に近づき、マイナスに帯電している網膜が左ノーズパッド電極６２４に近づく。このため、左右電極対６２８、６２６が接続される第１チャネル（Ｃｈ０）のＡＤＣ６３２の検出信号は変化がなく、凸波形も凹波形も現れない。右側のノーズパッド電極６２２、テンプル電極６２６が接続される第２チャネル（Ｃｈ１）のＡＤＣ６３４の検出信号は凹波形（下に凸な波形）となる。左側のノーズパッド電極６２４、テンプル電極６２８が接続される第３チャネル（Ｃｈ２）のＡＤＣ６３６の検出信号は凹波形（下に凸な波形）となる。
【０１８８】
図３２は、ユーザの種々な眼動と、図２７に示すＣｈ０、Ｃｈ１、Ｃｈ２のＡＤＣ６３２、６３４、６３６から得られる検出信号であるＥＯＧ波形との関係の一例を示す眼電図（ＥＯＧ）である。縦軸の数値とボルトの関係、及び横軸の数値と秒の関係は図３と同じである。
【０１８９】
左右眼球の左回転による視線の左移動（図２８）は、上段に示すＣｈ０のＥＯＧ波形に現れる凸波形と、中段と下段に示すＣｈ１、Ｃｈ２のＥＯＧ波形に現れる逆相波形の組合せ波形（Ｃｈ１が凸波形でＣｈ２が凹波形）により検出される。同様に、左右眼球の右回転による視線の右移動（図２９）は、上段に示すＣｈ０のＥＯＧ波形に現れる凹波形と、中段と下段に示すＣｈ１、Ｃｈ２のＥＯＧ波形に現れる逆相波形の組合せ波形（Ｃｈ１が凹波形でＣｈ２が凸波形）により検出される。
【０１９０】
両眼が互いに近づく方向に回転する視線の移動（図３０）は、上段に示すＣｈ０のＥＯＧ波形の無変化と、中段と下段に示すＣｈ１、Ｃｈ２のＥＯＧ波形に現れる凸波形により検出され、図３２では寄り目と記されている。図３２には示していないが、両眼が互いに離間する方向に回転する視線の移動（図３１）は、上段に示すＣｈ０のＥＯＧ波形の無変化と、中段と下段に示すＣｈ１、Ｃｈ２のＥＯＧ波形に現れる凹波形により検出される。
【０１９１】
第６実施形態によれば、メガネにおいてノーズパッドとテンプルに電極が設けられ、ノーズパッド電極とテンプル電極を結ぶ線が正面図、平面図、側面図の少なくともいずれかにおいて眼球を通過する。このため、ノーズパッド電極とテンプル電極との電位差と、左右のテンプル電極の電位差から、ユーザの眼電位、眼球の回転を精度よく検出することができる。メガネに取り付けた電極はメガネに一体化しているので、ユーザは違和感を覚えることがなくこのメガネをかけることができ、ユーザの抵抗無く検出を行うことができる。さらに、電極が皮膚に接触する箇所は、頭髪または髭等の硬毛が生えている領域ではないので、正しく眼電位を検出できない可能性が生じない。
【０１９２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１９３】
１５１ａ，１５２ａ…上側電極、１５１ｂ，１５２ｂ…下側電極、１５４Ｒ，１５４Ｌ…眼球、１５１０，１５１２，１５２０…アナログ／デジタルコンバータ、１１ａ…プロセッサ、１２…アクチュエータ、１３…カメラ、１５…眼動検出部、１７…電源、１８…無線受電装置、１０００…ローカルプロセッサ、１００００…管理センター。
【図１】
2019025070.tif 000003
【図２】
2019025070.tif 000004
【図３】
2019025070.tif 000005
【図４】
2019025070.tif 000006
【図５】
2019025070.tif 000007
【図６】
2019025070.tif 000008
【図７】
2019025070.tif 000009
【図８】
2019025070.tif 000010
【図９】
2019025070.tif 000011
【図１０】
2019025070.tif 000012
【図１１】
2019025070.tif 000013
【図１２】
2019025070.tif 000014
【図１３】
2019025070.tif 000015
【図１４】
2019025070.tif 000016
【図１５】
2019025070.tif 000017
【図１６】
2019025070.tif 000018
【図１７】
2019025070.tif 000019
【図１８】
2019025070.tif 000020
【図１９】
2019025070.tif 000021
【図２０】
2019025070.tif 000022
【図２１】
2019025070.tif 000023
【図２２】
2019025070.tif 000024
【図２３】
2019025070.tif 000025
【図２４】
2019025070.tif 000026
【図２５】
2019025070.tif 000027
【図２６】
2019025070.tif 000028
【図２７】
2019025070.tif 000029
【図２８】
2019025070.tif 000030
【図２９】
2019025070.tif 000031
【図３０】
2019025070.tif 000032
【図３１】
2019025070.tif 000033
【図３２】
2019025070.tif 000034